【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
（ａ）カチオン重合可能な少なくとも１種の化合物；および
（ｂ）式ＩａおよびＩｂ：
【化１】
2014507536.tif 000001
［式中、
Ｙn-は、
【化２】
2014507536.tif 000002
から選択される一価または二価のアニオンであり；
ｎは、１または２であり；
Ｒ1は、Ｃ1〜Ｃ20−アルキル、Ｃ3〜Ｃ20−シクロアルキル、ヘテロシクロアルキル、基Ａ、または基Ｂであり、
この場合、Ｃ1〜Ｃ20−アルキルは、１つ以上の同じかまたは異なる基Ｒ1aで置換されていてもよく、ならびに／あるいは−Ｏ−、−Ｓ−、−Ｃ（Ｏ）−、および−Ｎ（ＲN）−から選択される１つ以上の非隣接基で中断されていてもよく、
この場合、
Ｒ1aは、Ｆ、Ｃｌ、Ｂｒ、Ｉ、ＣＮ、ＳＲ19、ＯＲ20、ＣＯＲ21、ＣＯＯＲ22、ＣＯＮＲ23Ｒ24、Ｃ3〜Ｃ20−シクロアルキル、またはヘテロシクロアルキルであり、この場合、最後に言及された２つの基は、１つ以上のＣＯ基で中断されていてもよく、ならびに／あるいは１つ以上の同じかまたは異なる基Ｒ1abを有していてもよく、
この場合、
Ｒ1abは、Ｆ、Ｃｌ、Ｂｒ、Ｉ、Ｃ1〜Ｃ12−アルキル、Ｃ1〜Ｃ12−ハロアルキル、ＣＮ、ＳＲ19、ＯＲ20、ＣＯＲ21、ＣＯＯＲ22、またはＣＯＮＲ23Ｒ24であり；
Ｃ3〜Ｃ20−シクロアルキルおよびヘテロシクロアルキルは、１つ以上のＣＯ基で中断されていてもよく、ならびに／あるいは１つ以上の同じかまたは異なる基Ｒ1bで置換されていてもよく、この場合
Ｒ1bは、Ｆ、Ｃｌ、Ｂｒ、Ｉ、Ｃ1〜Ｃ12−アルキル、Ｃ1〜Ｃ12−ハロアルキル、ＣＮ、ＳＲ19、ＯＲ20、ＣＯＲ21、ＣＯＯＲ22、またはＣＯＮＲ23Ｒ24であり；
この場合、式Ａの基は、
【化３】
2014507536.tif 000003
であり、
ここで、
＃は、スルホニウム原子への結合位置であり、
ならびに、式Ｂの基は、
【化４】
2014507536.tif 000004
であり、
ここで
＃は、スルホニウム原子への結合位置であり、
ただし、Ｒ2およびＲ3が両方とも、Ｃ1〜Ｃ20−アルキル；１つ以上の基Ｒ2aで置換されているＣ1〜Ｃ20−アルキル；−Ｏ−、−Ｓ−、−Ｃ（Ｏ）−、および−Ｎ（ＲN)）から選択される１つ以上の非隣接基で中断されているＣ1〜Ｃ20−アルキル；−Ｏ−、−Ｓ−、−Ｃ（Ｏ）−、および−Ｎ（ＲN)）から選択される１つ以上の非隣接基で中断されており、かつ１つ以上の基Ｒ2aで置換されているＣ1〜Ｃ20−アルキル；Ｃ3〜Ｃ20−シクロアルキル；１つ以上のＣＯ基で中断されているＣ3〜Ｃ20−シクロアルキル；１つ以上の基Ｒ2bで置換されているＣ3〜Ｃ20−シクロアルキル；ならびに、１つ以上のＣＯ基で中断されており、かつ１つ以上の基Ｒ2bで置換されているＣ3〜Ｃ20−シクロアルキル、からなる群より選択される場合、Ｒ1は、基Ａまたは基Ｂであり；
Ｒ2およびＲ3は、互いに独立して、Ｃ1〜Ｃ20−アルキル、Ｃ2〜Ｃ20−アルケニル、Ｃ2〜Ｃ20−アルキニル、Ｃ3〜Ｃ20−シクロアルキル、ヘテロシクロアルキル、Ｃ6〜Ｃ20−アリール、およびヘテロアリールから選択され、
この場合、Ｃ1〜Ｃ20−アルキル、Ｃ2〜Ｃ20−アルケニル、およびＣ2〜Ｃ20−アルキニルは、１つ以上の同じかまたは異なる基Ｒ2aで置換されていてもよく、ならびに／あるいは−Ｏ−、−Ｓ−、−Ｃ（Ｏ）−、および−Ｎ（ＲN）−から選択される１つ以上の非隣接基で中断されていてもよく、
Ｃ3〜Ｃ20−シクロアルキルおよびヘテロシクロアルキルは、１つ以上のＣＯ基で中断されていてもよく、ならびに／あるいは１つ以上の同じかまたは異なる基Ｒ2bを有していてもよく、
Ｃ6〜Ｃ20−アリールおよびヘテロアリールは、１つ以上の同じかまたは異なる基Ｒ2cで置換されていてもよく、
この場合、
Ｒ2aは、Ｆ、Ｃｌ、Ｂｒ、Ｉ、ＣＮ、ＳＲ19、ＯＲ20、ＣＯＲ21、ＣＯＯＲ22、ＣＯＮＲ23Ｒ24、
Ｃ3〜Ｃ20−シクロアルキル、およびヘテロシクロアルキルから選択され、この場合、最後に言及された２つの基は、１つ以上のＣＯ基で中断されていてもよく、ならびに／あるいは１つ以上の同じかまたは異なる基Ｒ2abで置換されていてもよく、
ならびに、ヘテロアリールおよびＣ6〜Ｃ10−アリールからなる群からも選択され、この場合、最後に言及された２つの基は、１つ以上の同じかまたは異なる基Ｒ2acで置換されていてもよく、
この場合、
Ｒ2abは、Ｒ1abに対して示される意味のうちの１つを有し、
Ｒ2acは、Ｆ、Ｃｌ、Ｂｒ、Ｉ、Ｃ1〜Ｃ12−アルキル、Ｃ1〜Ｃ12−ハロアルキル、ＣＮ、ＮＯ2、ＳＲ19、ＯＲ20、ＣＯＲ21、ＣＯＯＲ22、またはＣＯＮＲ23Ｒ24であり；
Ｒ2bは、Ｆ、Ｃｌ、Ｂｒ、Ｉ、Ｃ1〜Ｃ12−アルキル、Ｃ1〜Ｃ12−ハロアルキル、ＣＮ、ＳＲ19、ＯＲ20、ＣＯＲ21、ＣＯＯＲ22、ＣＯＮＲ23Ｒ24、Ｃ6〜Ｃ10−アリール、またはヘテロアリールであり、この場合、最後に言及された２つの基は、１つ以上の同じかまたは異なる基Ｒ2bcで置換されていてもよく、
この場合、
Ｒ2bcは、Ｒ2acに対して示される意味のうちの１つを有し；
Ｒ2cは、Ｆ、Ｃｌ、Ｂｒ、Ｉ、Ｃ1〜Ｃ12−アルキル、Ｃ1〜Ｃ12−ハロアルキル、ＣＮ、ＮＯ2、ＳＲ19、ＯＲ20、ＣＯＲ21、ＣＯＯＲ22、ＣＯＮＲ23Ｒ24、フェニル、
Ｃ3〜Ｃ10−シクロアルキル、またはヘテロシクロアルキル（この場合、最後に言及された２つの基は、１つ以上のＣＯ基で中断されていてもよい）であり；
あるいは、
Ｒ1およびＲ2あるいはＲ1およびＲ3は、一緒に、直鎖Ｃ2〜Ｃ6−アルキレン基、直鎖Ｃ2〜Ｃ6−アルケニレン基、または−（ＣＨ2）a−Ｃ6Ｈ4−（ＣＨ2）b基を形成していてもよく、この場合、ａおよびｂは０〜１０の整数であり、かつａおよびｂの合計は１〜１０であり、アルキレン、アルケニレン、および−（ＣＨ2）a−Ｃ6Ｈ4−（ＣＨ2）bのアルキレン部分は、１つ以上の同じかまたは異なる基Ｒ32で置換されていてもよく、ならびに／あるいは−Ｏ−、−Ｓ−、−Ｃ（Ｏ）−、および−Ｎ（ＲN）−から選択される１つ以上の非隣接基で中断されていてもよく；
あるいは、
Ｒ2およびＲ3は、一緒に、直鎖Ｃ2〜Ｃ6−アルキレン基、直鎖Ｃ2〜Ｃ6−アルケニレン基、または直鎖−（ＣＨ2）c−Ｃ6Ｈ4−（ＣＨ2）d基を形成していてもよく、この場合、ｃおよびｄは０〜１０の整数であり、かつｃおよびｄの合計は１〜１０であり、アルキレン、アルケニレン、および−（ＣＨ2）c−Ｃ6Ｈ4−（ＣＨ2）dのアルキレン部分は、１つ以上の同じかまたは異なる基Ｒ32で置換されていてもよく、ならびに／あるいは１つまたは２つのフェニル環に縮合していてもよく、ならびに／あるいは−Ｏ−、−Ｓ−、−Ｃ（Ｏ）−、および−Ｎ（ＲN）−から選択される１つ以上の非隣接基で中断されていてもよく；
Ｒ4は、Ｃ1〜Ｃ20−アルキル、Ｃ2〜Ｃ20−アルケニル、Ｃ2〜Ｃ20−アルキニル、Ｃ3〜Ｃ20−シクロアルキル、ヘテロシクロアルキル、Ｃ6〜Ｃ20−アリール、ヘテロアリール、−ＮＲ11Ｒ12、または−Ｎ＝ＣＲ13Ｒ14であり、
この場合、Ｃ1〜Ｃ20−アルキル、Ｃ2〜Ｃ20−アルケニル、およびＣ2〜Ｃ20−アルキニルは、１つ以上の同じかまたは異なる基Ｒ4aで置換されていてもよく、ならびに／あるいは−Ｏ−、−Ｓ−、−Ｃ（Ｏ）−、および−Ｎ（ＲN）−から選択される１つ以上の非隣接基で中断されていてもよく、
Ｃ3〜Ｃ20−シクロアルキルおよびヘテロシクロアルキルは、１つ以上のＣＯ基で中断されていてもよく、ならびに／あるいは１つ以上の同じかまたは異なる基Ｒ4bで置換されていてもよく、ならびに
Ｃ6〜Ｃ20−アリールおよびヘテロアリールは、１つ以上の同じかまたは異なる基Ｒ4cで置換されていてもよく、この場合
Ｒ4aは、Ｆ、Ｃｌ、Ｂｒ、Ｉ、ＣＮ、ＳＲ19、ＯＲ20、ＣＯＲ21、ＣＯＯＲ22、ＣＯＮＲ23Ｒ24、
Ｃ3〜Ｃ20−シクロアルキル、およびヘテロシクロアルキルから選択され、この場合、最後に言及された２つの基は、１つ以上のＣＯ基で中断されていてもよく、ならびに／あるいは１つ以上の同じかまたは異なる基Ｒ4abで置換されていてもよく、
ならびに、ヘテロアリールおよびＣ6〜Ｃ10−アリールからなる群からも選択され、この場合、最後に言及された２つの基は、１つ以上の同じかまたは異なる基Ｒ4acで置換されていてもよく、この場合、
Ｒ4abは、Ｒ1abに対して示される意味のうちの１つを有し、
Ｒ4acは、Ｒ2acに対して示される意味のうちの１つを有し、ならびに
さらに、２つの基Ｒ4aがジェミナルに結合している場合、該２つの基Ｒ4aは一緒にＮ−ヒドロキシイミノ基を形成してもよく；
Ｒ4bは、Ｆ、Ｃｌ、Ｂｒ、Ｉ、Ｃ1〜Ｃ12−アルキル、Ｃ1〜Ｃ12−ハロアルキル、ＣＮ、ＳＲ19、ＯＲ20、ＣＯＲ21、ＣＯＯＲ22、ＣＯＮＲ23Ｒ24、Ｃ6〜Ｃ10−アリール、またはヘテロアリールであり、この場合、最後に言及された２つの基は、１つ以上の同じかまたは異なる基Ｒ4bcで置換されていてもよく、この場合、
Ｒ4bcは、Ｒ2bcに対して示される意味のうちの１つを有し；
Ｒ4cは、Ｆ、Ｃｌ、Ｂｒ、Ｉ、Ｃ1〜Ｃ12−アルキル、Ｃ1〜Ｃ12−ハロアルキル、ＣＮ、ＮＯ2、ＳＲ19、ＯＲ20、ＣＯＲ21、ＣＯＯＲ22、ＣＯＮＲ23Ｒ24、フェニル、Ｃ3〜Ｃ10−シクロアルキル、またはヘテロシクロアルキルであり、この場合、最後に言及された２つの基は、１つ以上のＣＯ基で中断されていてもよく；
Ｒ5、Ｒ6、Ｒ7、およびＲ8は、互いに独立して、Ｃ1〜Ｃ20−アルキル、Ｃ2〜Ｃ20−アルケニル、Ｃ2〜Ｃ20−アルキニル、Ｃ3〜Ｃ20−シクロアルキル、ヘテロシクロアルキル、Ｃ6〜Ｃ20−アリール、およびヘテロアリールから選択され、
この場合、Ｃ1〜Ｃ20−アルキル、Ｃ2〜Ｃ20−アルケニル、およびＣ2〜Ｃ20−アルキニルは、１つ以上の同じかまたは異なる基Ｒ5aで置換されていてもよく、ならびに／あるいは−Ｏ−、−Ｓ−、−Ｃ（Ｏ）−、および−Ｎ（ＲN）−から選択される１つ以上の非隣接基で中断されていてもよく、
Ｃ3〜Ｃ20−シクロアルキルおよびヘテロシクロアルキルは、１つ以上のＣＯ基で中断されていてもよく、ならびに／あるいは１つ以上の同じかまたは異なる基Ｒ5bで置換されていてもよく、
Ｃ6〜Ｃ20−アリールおよびヘテロアリールは、１つ以上の同じかまたは異なる基Ｒ5cで置換されていてもよく、この場合、
Ｒ5aは、Ｒ2aに対して示される意味のうちの１つを有し、
Ｒ5bは、Ｒ2bに対して示される意味のうちの１つを有し、
Ｒ5cは、Ｒ2cに対して示される意味のうちの１つを有し；
あるいは
Ｒ5およびＲ6ならびに／あるいはＲ7およびＲ8は、一緒に、直鎖Ｃ2〜Ｃ6−アルキレン基、直鎖Ｃ2〜Ｃ6−アルケニレン基、または直鎖−（ＣＨ2）c−Ｃ6Ｈ4−（ＣＨ2）d基を形成していてもよく、ここで、ｃおよびｄは、０〜１０の整数であって、ｃおよびｄの合計は１〜１０であり、アルキレン、アルケニレン、および−（ＣＨ2）c−Ｃ6Ｈ4−（ＣＨ2）dのアルキレン部分は、１つ以上の同じかまたは異なる基Ｒ32で置換されていてもよく、ならびに／あるいは１つまたは２つのフェニル環に縮合していてもよく、ならびに／あるいは−Ｏ−、−Ｓ−、−Ｃ（Ｏ）−、および−Ｎ（ＲN）−から選択される１つ以上の非隣接基で中断されていてもよく；
Ｒ9およびＲ10は、互いに独立して、Ｃ1〜Ｃ20−アルキル、Ｃ2〜Ｃ20−アルケニル、Ｃ2〜Ｃ20−アルキニル、Ｃ3〜Ｃ20−シクロアルキル、ヘテロシクロアルキル、Ｃ6〜Ｃ20−アリール、ヘテロアリール、−ＮＲ11Ｒ12、および−Ｎ＝ＣＲ13Ｒ14から選択され、
この場合、Ｃ1〜Ｃ20−アルキル、Ｃ2〜Ｃ20−アルケニル、およびＣ2〜Ｃ20−アルキニルは、１つ以上の同じかまたは異なる基Ｒ9aで置換されていてもよく、ならびに／あるいは−Ｏ−、−Ｓ−、−Ｃ（Ｏ）−、および−Ｎ（ＲN）−から選択される１つ以上の非隣接基で中断されていてもよく、
Ｃ3〜Ｃ20−シクロアルキルおよびヘテロシクロアルキルは、１つ以上のＣＯ基で中断されていてもよく、ならびに／あるいは１つ以上の同じかまたは異なる基Ｒ9bで置換されていてもよく、
Ｃ6〜Ｃ20−アリールおよびヘテロアリールは、１つ以上の同じかまたは異なる基Ｒ9cで置換されていてもよく、この場合、
Ｒ9aは、Ｒ4aに対して示される意味のうちの１つを有し、
Ｒ9bは、Ｒ4bに対して示される意味のうちの１つを有し、
Ｒ9cは、Ｒ4cに対して示される意味のうちの１つを有し；
Ｒ11およびＲ12は、互いに独立して、水素、Ｃ1〜Ｃ20−アルキル、Ｃ2〜Ｃ20−アルケニル、Ｃ2〜Ｃ20−アルキニル、Ｃ3〜Ｃ20−シクロアルキル、ヘテロシクロアルキル、Ｃ6〜Ｃ20−アリール、ヘテロアリール、Ｃ2〜Ｃ20−アルカノイル、Ｃ3〜Ｃ20−アルケノイル、およびＣ6〜Ｃ10−アロイルから選択され、
この場合、Ｃ1〜Ｃ20−アルキル、Ｃ2〜Ｃ20−アルケニル、およびＣ2〜Ｃ20−アルキニルは、１つ以上の同じかまたは異なる基Ｒ11aで置換されていてもよく、ならびに／あるいは−Ｏ−、−Ｓ−、−Ｃ（Ｏ）−、および−Ｎ（ＲN）−から選択される１つ以上の非隣接基で中断されていてもよく、
Ｃ3〜Ｃ20−シクロアルキルおよびヘテロシクロアルキルは、１つ以上のＣＯ基で中断されていてもよく、ならびに／あるいは１つ以上の同じかまたは異なる基Ｒ11bで置換されていてもよく、
Ｃ6〜Ｃ20−アリールおよびヘテロアリールは、１つ以上の同じかまたは異なる基Ｒ11cで置換されていてもよく、
Ｃ2〜Ｃ20−アルカノイルおよびＣ3〜Ｃ20−アルケノイルは、１つ以上の同じかまたは異なる基Ｒ11dで置換されていてもよく、
Ｃ6〜Ｃ10−アロイルは、１つ以上の同じかまたは異なる基Ｒ11eで置換されていてもよく、
Ｒ11aは、Ｒ2aに対して示される意味のうちの１つを有し、
Ｒ11bは、Ｒ2bに対して示される意味のうちの１つを有し、
Ｒ11cは、Ｒ2cに対して示される意味のうちの１つを有し、
Ｒ11dは、Ｆ、Ｃｌ、Ｂｒ、Ｉ、ＣＮ、ＮＯ2、ＳＲ19、ＯＲ20、ＣＯＲ21、ＣＯＯＲ22、またはＣＯＮＲ23Ｒ24であり；
Ｒ11eは、Ｆ、Ｃｌ、Ｂｒ、Ｉ、Ｃ1〜Ｃ12−アルキル、Ｃ1〜Ｃ12−ハロアルキル、ＣＮ、ＮＯ2、ＳＲ19、ＯＲ20、ＣＯＲ21、ＣＯＯＲ22、またはＣＯＮＲ23Ｒ24であり；
あるいは、
Ｒ11およびＲ12は、一緒に、直鎖Ｃ2〜Ｃ5−アルキレン鎖または直鎖Ｃ2〜Ｃ5−アルケニレン鎖を形成していてもよく、この場合、アルキレンおよびアルケニレンは、１つ以上の同じかまたは異なる基Ｒ11fで置換されていてもよく、ならびに／あるいは−Ｏ−、−Ｓ−、−Ｃ（Ｏ）−、および−Ｎ（ＲN）−から選択される１つ以上の非隣接基で中断されていてもよく、
あるいは、
Ｒ11およびＲ12は、一緒に、ｏ−フェニレンジカルボニル基または１，８−ナフタレンジカルボニル基を形成していてもよく、この場合、最後に言及された２つの基は、１つ以上の同じかまたは異なる基Ｒ11fで置換されていてもよく、
この場合、
Ｒ11fは、Ｒ11eに対して示される意味のうちの１つを有し；
Ｒ13およびＲ14は、互いに独立して、水素、ＣＮ、ＮＯ2、ＳＲ19、ＯＲ20、ＣＯＲ21、ＣＯＯＲ22、ＣＯＮＲ23Ｒ24、Ｃ1〜Ｃ20−アルキル、Ｃ2〜Ｃ20−アルケニル、Ｃ2〜Ｃ20−アルキニル、Ｃ3〜Ｃ20−シクロアルキル、ヘテロシクロアルキル、Ｃ6〜Ｃ20−アロイル、Ｃ6〜Ｃ20−アリール、およびヘテロアリールから選択され、
この場合、Ｃ1〜Ｃ20−アルキル、Ｃ2〜Ｃ20−アルケニル、およびＣ2〜Ｃ20−アルキニルは、１つ以上の同じかまたは異なる基Ｒ13aで置換されていてもよく、ならびに／あるいは−Ｏ−、−Ｓ−、−Ｃ（Ｏ）−、および−Ｎ（ＲN）−から選択される１つ以上の非隣接基で中断されていてもよく、
Ｃ3〜Ｃ20−シクロアルキルおよびヘテロシクロアルキルは、１つ以上のＣＯ基で中断されていてもよく、ならびに／あるいは１つ以上の同じかまたは異なる基Ｒ13bで置換されていてもよく、
Ｃ6〜Ｃ20−アロイル、Ｃ6〜Ｃ20−アリール、およびＣ5〜Ｃ20−ヘテロアリールは、１つ以上の同じかまたは異なる基Ｒ13cで置換されていてもよく、
この場合、
Ｒ13aは、Ｆ、Ｃｌ、Ｂｒ、Ｉ、ＣＮ、ＳＲ19、ＯＲ20、ＣＯＲ21、ＣＯＯＲ22、ＣＯＮＲ23Ｒ24、
Ｃ3〜Ｃ20−シクロアルキル、およびヘテロシクロアルキルから選択され、この場合、最後に言及された２つの基は、１つ以上のＣＯ基で中断されていてもよく、ならびに／あるいは１つ以上の同じかまたは異なる基Ｒ13abで置換されていてもよく、
ならびに、フェニルおよび１つもしくは複数の同じかもしくは異なる基Ｒ13acで置換されているフェニルからなる群からも選択され、
この場合
Ｒ13abは、Ｒ1abに対して示される意味のうちの１つを有し、
Ｒ13acは、Ｒ2acに対して示される意味のうちの１つを有し；
Ｒ13bは、Ｆ、Ｃｌ、Ｂｒ、Ｉ、Ｃ1〜Ｃ12−アルキル、Ｃ1〜Ｃ12−ハロアルキル、ＣＮ、ＳＲ19、ＯＲ20、ＣＯＲ21、ＣＯＯＲ22、ＣＯＮＲ23Ｒ24、フェニル、あるいは１つ以上の同じかまたは異なる基Ｒ13bcで置換されているフェニルであり、この場合
Ｒ13bcは、Ｒ2acに対して示される意味のうちの１つを有し；
Ｒ13cは、Ｒ4cに対して示される意味のうちの１つを有し；
あるいは、
Ｒ13およびＲ14は、一緒に、直鎖状のＣ2〜Ｃ6−アルキレン鎖または直鎖状のＣ2〜Ｃ6−アルケニレン鎖を形成していてもよく、この場合、アルキレンおよびアルケニレンは、１つ以上の同じかまたは異なる基Ｒ32で置換されていてもよく、ならびに／あるいは−Ｏ−、−Ｓ−、−Ｃ（Ｏ）−、および−Ｎ（ＲN）−から選択される１つ以上の非隣接基で中断されていてもよく；
Ｒ19およびＲ20は、互いに独立して、水素、Ｃ1〜Ｃ20−アルキル、Ｃ2〜Ｃ12−アルケニル、
Ｃ3〜Ｃ10−シクロアルキル、ヘテロシクロアルキル（この場合、最後に言及された２つの基は、１つ以上のＣＯ基で中断されていてもよい）、
−Ｏ−、−Ｓ−、−Ｃ（Ｏ）−、および−Ｎ（ＲN）−から選択される１つ以上の非隣接基で中断されているＣ1〜Ｃ20−アルキル、
１つ以上の同じかまたは異なる基Ｒ19aで置換されているＣ1〜Ｃ8−アルキル、
−（ＣＨ2ＣＨ2Ｏ）mＨ（ここで、ｍは１〜２０である）、
−（ＣＨ2ＣＨ2Ｏ）n（ＣＯ）−（Ｃ1〜Ｃ8−アルキル）（ここで、ｎは１〜２０である）、
Ｃ2〜Ｃ8−アルカノイル、Ｃ2〜Ｃ8−ハロアルカノイル、Ｃ3〜Ｃ6−アルケノイル、
ベンゾイル（最後に言及された基は、Ｆ、Ｃｌ、Ｂｒ、Ｉ、Ｃ1〜Ｃ6−アルキル、ＯＨ、およびＣ1〜Ｃ4−アルコキシからなる群から互いに独立して選択される１つ以上の基で置換されていてもよい）、
フェニル、ナフチル（最後に言及された２つの基は、１つ以上の同じかまたは異なる基Ｒ19cで置換されていてもよい）、
あるいは、ＳＲ19またはＯＲ20がそれぞれ、単結合、Ｃ1〜Ｃ4−アルキレン、Ｏ、Ｓ、ＣＯ、またはＮＲ23を介して結合しているフェニル環を介して５または６員環を形成しているフェニルもしくはナフチル
から選択され、
この場合
Ｒ19aは、Ｆ、Ｃｌ、Ｂｒ、Ｉ、ＯＨ、ＳＨ、ＣＮ、Ｃ3〜Ｃ10−シクロアルキル、ヘテロシクロアルキル、フェニル、Ｃ3〜Ｃ6−アルケノキシ、−ＯＣＨ2ＣＨ2ＣＮ、−ＯＣＨ2ＣＨ2（ＣＯ）Ｏ（Ｃ1〜Ｃ8−アルキル）、−Ｏ（ＣＯ）−（Ｃ1〜Ｃ8−アルキル）、−Ｏ（ＣＯ）−フェニル、−（ＣＯ）ＯＨ、または−（ＣＯ）Ｏ（Ｃ1〜Ｃ8−アルキル）であり、
Ｒ19cは、Ｆ、Ｃｌ、Ｂｒ、Ｉ、Ｃ1〜Ｃ12−アルキル、Ｃ1〜Ｃ12−ハロアルキル、Ｃ1〜Ｃ12−アルコキシ、フェニル−Ｃ1〜Ｃ3−アルキルオキシ、フェノキシ、Ｃ1〜Ｃ12−アルキルスルファニル、フェニルスルファニル、−（ＣＯ）Ｏ（Ｃ1〜Ｃ8−アルキル）、（ＣＯ）Ｎ（Ｃ1〜Ｃ8−アルキル）2、またはフェニルであり；
Ｒ21は、互いに独立して、水素、Ｃ1〜Ｃ20−アルキル、Ｃ2〜Ｃ12−アルケニル、
−Ｏ−、−Ｓ−、−ＣＯ−、および−Ｎ（ＲN）−から選択される１つ以上の非隣接基で中断されているＣ1〜Ｃ20−アルキル、
１つ以上の同じかまたは異なる基Ｒ21aで置換されているＣ1〜Ｃ8−アルキル、
−（ＣＨ2ＣＨ2Ｏ）oＨ（ここで、ｏは１〜２０である）、
−（ＣＨ2ＣＨ2Ｏ）p（ＣＯ）−（Ｃ1〜Ｃ8−アルキル）（ここで、ｐは１〜２０である）、
Ｃ3〜Ｃ10−シクロアルキル、ヘテロシクロアルキル（この場合、最後に言及された２つの基は、１つ以上のＣＯ基で中断されていてもよい）、
Ｃ6〜Ｃ20−アリールおよびヘテロアリール（この場合、最後に言及された２つの基は、１つ以上の同じかまたは異なる基Ｒ21cで置換されていてもよい）、
この場合
Ｒ21aは、Ｆ、Ｃｌ、Ｂｒ、Ｉ、ＯＨ、ＳＨ、ＣＮ、フェニル、Ｃ3〜Ｃ6−アルケノキシ、−ＯＣＨ2ＣＨ2ＣＮ、−ＯＣＨ2ＣＨ2（ＣＯ）Ｏ（Ｃ1〜Ｃ8−アルキル）、−Ｏ（ＣＯ）−（Ｃ1〜Ｃ8−アルキル）、−Ｏ（ＣＯ）−フェニル、−（ＣＯ）ＯＨ、または−（ＣＯ）Ｏ（Ｃ1〜Ｃ8−アルキル）であり、
Ｒ21cは、Ｒ19cに対して示される意味のうちの１つを有し；
Ｒ22は、互いに独立して、水素、Ｃ1〜Ｃ20−アルキル、Ｃ2〜Ｃ12−アルケニル、
−Ｏ−、−Ｓ−、−Ｃ（Ｏ）−、および−ＮＲN−から選択される１つ以上の非隣接基で中断されているＣ2〜Ｃ20−アルキル、
１つ以上の同じかまたは異なる基Ｒ22aで置換されているＣ1〜Ｃ8−アルキル、
−（ＣＨ2ＣＨ2Ｏ）qＨ（ここで、ｑは１〜２０である）、
−（ＣＨ2ＣＨ2Ｏ）r（ＣＯ）−（Ｃ1〜Ｃ8−アルキル）（ここで、ｒは１〜２０である）、
Ｃ3〜Ｃ10−シクロアルキル、ヘテロシクロアルキル（この場合、最後に言及された２つの基は、１つ以上のＣＯ基で中断されていてもよい）、
フェニルおよびナフチル（この場合、最後に言及された２つの基は、１つ以上の同じかまたは異なる基Ｒ22cで置換されていてもよい）、
から選択され、
この場合
Ｒ22aは、Ｆ、Ｃｌ、Ｂｒ、Ｉ、ＯＨ、ＳＨ、ＣＮ、Ｃ3〜Ｃ6アルケノキシ、−ＯＣＨ2ＣＨ2ＣＮ、−ＯＣＨ2ＣＨ2（ＣＯ）Ｏ（Ｃ1〜Ｃ8−アルキル）、−Ｏ（ＣＯ）−（Ｃ1〜Ｃ8−アルキル）、−Ｏ（ＣＯ）−フェニル、−（ＣＯ）ＯＨ、−（ＣＯ）Ｏ（Ｃ1〜Ｃ8−アルキル）、フェニル、またはナフチルであり、この場合、最後に言及された２つの基は、１つ以上の同じかまたは異なる基Ｒ22acで置換されていてもよく、
この場合
Ｒ22acは、Ｒ19cに対して示される意味のうちの１つを有し；
Ｒ22cは、Ｒ19cに対して示される意味のうちの１つを有し；
Ｒ23およびＲ24は、互いに独立して、水素、ＯＲ20、Ｃ1〜Ｃ20−アルキル、Ｃ2〜Ｃ12−アルケニル、
−Ｏ−、−Ｓ−、−Ｃ（Ｏ）−、および−ＮＲN−から選択される１つ以上の非隣接基で中断されているＣ2〜Ｃ20−アルキル、
１つ以上の同じかまたは異なる基Ｒ23aで置換されているＣ1〜Ｃ8−アルキル、
−（ＣＨ2ＣＨ2Ｏ）sＨ（ここで、ｓは１〜２０である）、
−（ＣＨ2ＣＨ2Ｏ）t（ＣＯ）−（Ｃ1〜Ｃ8−アルキル）（ここで、ｔは１〜２０である）、
Ｃ2〜Ｃ8−アルカノイル、Ｃ2〜Ｃ8−ハロアルカノイル、Ｃ3〜Ｃ6−アルケノイル、（Ｆ、Ｃｌ、Ｂｒ、Ｉ、Ｃ1〜Ｃ6−アルキル、−ＯＨ、およびＣ1〜Ｃ4−アルコキシから選択される１つ以上の同じかまたは異なる基で置換されていてもよい）ベンゾイル、
Ｃ3〜Ｃ10−シクロアルキル、ヘテロシクロアルキル（この場合、最後に言及された２つの基は、１つ以上のＣＯ基で中断されていてもよい）、
フェニルおよびナフチル（最後に言及された２つの基は、１つ以上の同じかまたは異なる基Ｒ23cで置換されていてもよい）、
から選択され、
この場合
Ｒ23aは、Ｆ、Ｃｌ、Ｂｒ、Ｉ、ＯＨ、ＳＨ、ＣＮ、フェニル、Ｃ3〜Ｃ6−アルケノキシ、−ＯＣＨ2ＣＨ2ＣＮ、−ＯＣＨ2ＣＨ2（ＣＯ）Ｏ（Ｃ1〜Ｃ8−アルキル）、−Ｏ（ＣＯ）−（Ｃ1〜Ｃ8−アルキル）、−Ｏ（ＣＯ）−フェニル、−（ＣＯ）ＯＨ、または−（ＣＯ）Ｏ（Ｃ1〜Ｃ8−アルキル）であり、
Ｒ23cは、Ｒ19cに対して示される意味のうちの１つを有し；
あるいは、
Ｒ23およびＲ24は、一緒に、Ｃ2〜Ｃ5−アルキレン基を形成していてもよく、該基は、−Ｏ−、−Ｓ−、−Ｃ（Ｏ）−、および−Ｎ（ＲN）−から選択される１つ以上の非隣接基で中断されていてもよく；
Ｒ25およびＲ26は、それぞれ互いに独立して、水素、Ｆ、Ｃｌ、Ｂｒ、Ｉ、ＣＮ、ＮＯ2、ＳＲ19、ＯＲ20、ＣＯＲ21、ＣＯＯＲ22、ＣＯＮＲ23Ｒ24、Ｃ1〜Ｃ20−アルキル、Ｃ3〜Ｃ20−シクロアルキル、ヘテロシクロアルキル、Ｃ6〜Ｃ20−アリール、およびヘテロアリールから選択され、
この場合、Ｃ1〜Ｃ20−アルキルは、−Ｏ−、−Ｓ−、−Ｃ（Ｏ）−、および−Ｎ（ＲN）−から選択される１つ以上の非隣接基で中断されていてもよく、ならびに／あるいは１つ以上の同じかまたは異なる基Ｒ25aで置換されていてもよく、
Ｃ3〜Ｃ20−シクロアルキルおよびヘテロシクロアルキルは、１つ以上のＣＯ基で中断されていてもよく、ならびに／あるいは１つ以上の同じかまたは異なる基Ｒ25bで置換されていてもよく、ならびに
Ｃ6〜Ｃ20−アリールおよびヘテロアリールは、１つ以上の同じかまたは異なる基Ｒ25cで置換されていてもよく、この場合、
Ｒ25aは、Ｒ13aに対して示される意味のうちの１つを有し；
Ｒ25bは、Ｒ13bに対して示される意味のうちの１つを有し；
Ｒ25cは、Ｒ13cに対して示される意味のうちの１つを有し；
Ｒ27、Ｒ28、Ｒ29、Ｒ30、およびＲ31は、それぞれ互いに独立して、水素、Ｆ、Ｃｌ、Ｂｒ、Ｉ、ＣＮ、ＮＯ2、ＳＲ19、ＯＲ20、ＣＯＲ21、ＣＯＯＲ22、ＣＯＮＲ23Ｒ24、Ｃ1〜Ｃ20−アルキル、Ｃ2〜Ｃ20−アルケニル、Ｃ2〜Ｃ20−アルキニル、Ｃ3〜Ｃ20−シクロアルキル、ヘテロシクロアルキル、Ｃ6〜Ｃ20−アリール、およびヘテロアリールから選択され、
この場合、Ｃ1〜Ｃ20−アルキル、Ｃ2〜Ｃ20−アルケニル、およびＣ2〜Ｃ20−アルキニルは、１つ以上の同じかまたは異なる基Ｒ27aで置換されていてもよく、ならびに／あるいは−Ｏ−、−Ｓ−、−Ｃ（Ｏ）−、および−Ｎ（ＲN）−から選択される１つ以上の非隣接基で中断されていてもよく、
Ｃ3〜Ｃ20−シクロアルキルおよびヘテロシクロアルキルは、１つ以上のＣＯ基で中断されていてもよく、ならびに／あるいは１つ以上の同じかまたは異なる基Ｒ27bで置換されていてもよく、
Ｃ6〜Ｃ20−アリールおよびヘテロアリールは、１つ以上の同じかまたは異なる基Ｒ27cで置換されていてもよく、この場合、
Ｒ27aは、Ｒ13aに対して示される意味のうちの１つを有し；
Ｒ27bは、Ｒ13bに対して示される意味のうちの１つを有し；
Ｒ27cは、Ｒ13cに対して示される意味のうちの１つを有し；
あるいは
２つの基Ｒ27およびＲ28、Ｒ28およびＲ29、Ｒ29およびＲ30、ならびに／あるいはＲ30およびＲ31は、一緒に、直鎖Ｃ2〜Ｃ6−アルキレン基または直鎖Ｃ2〜Ｃ6−アルケニレン基を形成していてもよく、この場合、アルキレン基およびアルケニレン基は、１つ以上の同じかまたは異なる基Ｒ32で置換されていてもよく、ならびに／あるいは１つもしくは２つのＣ6〜Ｃ10−アリール環に縮合していてもよく、ならびに／あるいは−Ｏ−、−Ｓ−、−Ｃ（Ｏ）−、および−Ｎ（ＲN）−から選択される１つ以上の非隣接基で中断されていてもよく、
あるいは、
Ｒ25およびＲ27は、一緒に、Ｃ2〜Ｃ6−アルキレン鎖を形成していてもよく、この場合、アルキレンは、１つ以上の基Ｒ32で置換されていてもよく、ならびに／あるいは−Ｏ−、−Ｓ−、−Ｃ（Ｏ）−、および−Ｎ（ＲN）−から選択される１つ以上の非隣接基で中断されていてもよく、
あるいは
Ｒ25およびＲ27は、一緒に、１，２−フェニレン基を形成していてもよく、この場合、１，２−フェニレンは、１つ以上の同じかまたは異なる基Ｒ32で置換されていてもよく；
Ｒ32は、Ｆ、Ｃｌ、Ｂｒ、Ｉ、ＣＮ、ＮＯ2、ＳＲ19、ＯＲ20、ＣＯＲ21、ＣＯＯＲ22、ＣＯＮＲ23Ｒ24、Ｃ1〜Ｃ20−アルキル、Ｃ2〜Ｃ20−アルケニル、Ｃ2〜Ｃ20−アルキニル、Ｃ3〜Ｃ20−シクロアルキル、ヘテロシクロアルキル、Ｃ6〜Ｃ20−アリール、およびヘテロアリールであり；
この場合、Ｃ1〜Ｃ20−アルキル、Ｃ2〜Ｃ20−アルケニル、およびＣ2〜Ｃ20−アルキニルは、−Ｏ−、−Ｓ−、−Ｃ（Ｏ）−、および−Ｎ（ＲN）−から選択される１つ以上の非隣接基で中断されていてもよく、ならびに／あるいは１つ以上の同じかまたは異なる基Ｒ32aで置換されていてもよく、
Ｃ3〜Ｃ20−シクロアルキルおよびヘテロシクロアルキルは、１つ以上のＣＯ基で中断されていてもよく、ならびに／あるいは１つ以上の同じかまたは異なる基Ｒ32bで置換されていてもよく、
Ｃ6〜Ｃ20−アリールおよびヘテロアリールは、１つ以上の同じかまたは異なる基Ｒ32cで置換されていてもよく、この場合、
Ｒ32aは、Ｒ13aに対して示される意味のうちの１つを有し；
Ｒ32bは、Ｒ13bに対して示される意味のうちの１つを有し；および
Ｒ32cは、Ｒ13cに対して示される意味のうちの１つを有し；
Ｒ33およびＲ34は、それぞれ互いに独立して、水素、Ｆ、Ｃｌ、Ｂｒ、Ｉ、ＣＮ、ＮＯ2、ＳＲ19、ＯＲ20、ＣＯＲ21、ＣＯＯＲ22、ＣＯＮＲ23Ｒ24、Ｃ1〜Ｃ20−アルキル、Ｃ3〜Ｃ20−シクロアルキル、ヘテロシクロアルキル、Ｃ6〜Ｃ20−アリール、およびヘテロアリールから選択され、
この場合、Ｃ1〜Ｃ20−アルキルは、１つ以上の基Ｒ33aで置換されていてもよく、ならびに／あるいは−Ｏ−、−Ｓ−、−Ｃ（Ｏ）−、および−Ｎ（ＲN）−から選択される１つ以上の非隣接基で中断されていてもよく、
Ｃ3〜Ｃ20−シクロアルキルおよびヘテロシクロアルキルは、１つ以上のＣＯ基で中断されていてもよく、ならびに／あるいは１つ以上の同じかまたは異なる基Ｒ33bで置換されていてもよく、ならびに、
Ｃ6〜Ｃ20−アリールおよびヘテロアリールは、１つ以上の同じかまたは異なる基Ｒ33cで置換されていてもよく、この場合、
Ｒ33aは、Ｒ13aに対して示される意味のうちの１つを有し；
Ｒ33bは、Ｒ13bに対して示される意味のうちの１つを有し；
Ｒ33cは、Ｒ13cに対して示される意味のうちの１つを有し；
Ｒ35、Ｒ36、およびＲ37は、それぞれ互いに独立して、水素、Ｆ、Ｃｌ、Ｂｒ、Ｉ、ＣＮ、ＮＯ2、ＳＲ19、ＯＲ20、ＣＯＲ21、ＣＯＯＲ22、ＣＯＮＲ23Ｒ24、Ｃ1〜Ｃ20−アルキル、Ｃ2〜Ｃ20−アルケニル、Ｃ2〜Ｃ20−アルキニル、Ｃ3〜Ｃ20−シクロアルキル、ヘテロシクロアルキル、Ｃ6〜Ｃ20−アリール、およびヘテロアリールから選択され、
この場合、Ｃ1〜Ｃ20−アルキル、Ｃ2〜Ｃ20−アルケニル、およびＣ2〜Ｃ20−アルキニルは、１つ以上の同じかまたは異なる基Ｒ35aで置換されていてもよく、ならびに／あるいは−Ｏ−、−Ｓ−、−Ｃ（Ｏ）−、および−Ｎ（ＲN）−から選択される１つ以上の非隣接基で中断されていてもよく、
Ｃ3〜Ｃ20−シクロアルキルおよびヘテロシクロアルキルは、１つ以上の同じかまたは異なる基Ｒ35bで置換されていてもよく、ならびに
Ｃ6〜Ｃ20−アリールおよびヘテロアリールは、１つ以上の同じかまたは異なる基Ｒ35cで置換されていてもよく、この場合
Ｒ35aは、Ｒ27aに対して示される意味のうちの１つを有し；
Ｒ35bは、Ｒ27bに対して示される意味のうちの１つを有し；
Ｒ35cは、Ｒ27cに対して示される意味のうちの１つを有し；
あるいは、
Ｒ35およびＲ36は、一緒に、直鎖Ｃ2〜Ｃ6−アルキレン基または直鎖Ｃ2〜Ｃ6−アルケニレン基を形成していてもよく、この場合、アルキレンおよびアルケニレンは、１つ以上の同じかまたは異なる基Ｒ32で置換されていてもよく、ならびに／あるいは−Ｏ−、−Ｓ−、−Ｃ（Ｏ）−、および−Ｎ（ＲN）−から選択される１つ以上の非隣接基で中断されていてもよく、
あるいは、
２つの基Ｒ33およびＲ35、Ｒ33およびＲ37、Ｒ34およびＲ35、ならびに／あるいはＲ34およびＲ37は、一緒に、直鎖Ｃ2〜Ｃ6−アルキレン基を形成していてもよく、この場合、アルキレン基は、１つ以上の同じかまたは異なる基Ｒ32で置換されていてもよく、ならびに／あるいは−Ｏ−、−Ｓ−、−Ｃ（Ｏ）−、および−Ｎ（ＲN）−から選択される１つ以上の非隣接基で中断されていてもよく；
Ｍは、Ｃ1〜Ｃ20−アルキレン、Ｃ2〜Ｃ20−アルケニレン、Ｃ2〜Ｃ20−アルキニレン、Ｃ3〜Ｃ20−シクロアルキレン、ヘテロシクロアルキレン、Ｃ6〜Ｃ20−アリーレン、およびヘテロアリーレンから選択される二価の基であり、
この場合、Ｃ1〜Ｃ20−アルキレン、Ｃ2〜Ｃ20−アルケニレン、およびＣ2〜Ｃ20−アルキニレンは、１つ以上の同じかまたは異なる基ＲMaで置換されていてもよく、ならびに／あるいは１つ以上の同じかまたは異なる非隣接基ＲMiで中断されていてもよく、
Ｃ3〜Ｃ20−シクロアルキレンおよびヘテロシクロアルキレンは、１つ以上のＣＯ基で中断されていてもよく、ならびに／あるいは１つ以上の基ＲMbで置換されていてもよく
Ｃ6〜Ｃ20−アリーレンおよびヘテロアリーレンは、１つ以上の基ＲMcで置換されていてもよく、この場合、
ＲMiは、−Ｏ−、−Ｓ−、−Ｃ（Ｏ）−、ＯＣ（Ｏ）−、−Ｎ（ＲN）−、Ｃ3〜Ｃ20−シクロアルキレン、−Ｏ−Ｃ3〜Ｃ20−シクロアルキレン、−Ｏ−Ｃ3〜Ｃ20−シクロアルキレン−Ｏ−、ヘテロシクロアルキレン、Ｃ6〜Ｃ20−アリーレン、−Ｏ−Ｃ6〜Ｃ20−アリーレン、−Ｏ−Ｃ6〜Ｃ20−アリーレン−Ｏ−、−Ｓ−Ｃ6〜Ｃ20−アリーレン、−Ｓ−Ｃ6〜Ｃ20−アリーレン−Ｓ−、およびヘテロアリーレンから選択され、
この場合、各シクロアルキレンおよび各ヘテロシクロアルキレンは、１つ以上のＣＯ基で中断されていてもよく、ならびに／あるいは１つ以上の同じかまたは異なる基ＲMibで置換されていてもよく、ならびに、
各アリーレンおよび各ヘテロアリーレンは、１つ以上の基ＲMicで置換されていてもよく、
ＲMaは、Ｆ、Ｃｌ、Ｂｒ、Ｉ、ＣＮ、ＳＲ19、ＯＲ20、ＣＯＲ21、ＣＯＯＲ22、ＣＯＮＲ23Ｒ24、Ｃ6〜Ｃ10−アリール、またはヘテロアリールであり、この場合、最後に言及された２つの基は、Ｃ1〜Ｃ12−アルキル、Ｃ1〜Ｃ12−ハロアルキル、Ｆ、Ｃｌ、Ｂｒ、Ｉ、ＣＮ、ＮＯ2、ＳＲ19、ＯＲ20、ＣＯＲ21、ＣＯＯＲ22、およびＣＯＮＲ23Ｒ24から選択される１つ以上の同じかまたは異なる基で置換されていてもよく；
ＲMibは、Ｆ、Ｃｌ、Ｂｒ、Ｉ、Ｃ1〜Ｃ12−アルキル、Ｃ1〜Ｃ12−ハロアルキル、ＣＮ、ＮＯ2、ＳＲ19、ＯＲ20、ＣＯＲ21、ＣＯＯＲ22、ＣＯＮＲ23Ｒ24、またはフェニルであり；
ＲMicは、Ｆ、Ｃｌ、Ｂｒ、Ｉ、Ｃ1〜Ｃ12−アルキル、Ｃ1〜Ｃ12−ハロアルキル、ＣＮ、ＮＯ2、ＳＲ19、ＯＲ20、ＣＯＲ21、ＣＯＯＲ22、ＣＯＮＲ23Ｒ24、またはフェニルであり；
ＲMbは、Ｆ、Ｃｌ、Ｂｒ、Ｉ、Ｃ1〜Ｃ12−アルキル、Ｃ1〜Ｃ12−ハロアルキル、ＣＮ、ＳＲ19、ＯＲ20、ＣＯＲ21、ＣＯＯＲ22；ＣＯＮＲ23Ｒ24、Ｃ6〜Ｃ10−アリール、またはヘテロアリールであり、この場合、最後に言及された２つの基は、Ｃ1〜Ｃ12−アルキル、Ｃ1〜Ｃ12−ハロアルキル、Ｆ、Ｃｌ、Ｂｒ、Ｉ、ＣＮ、ＮＯ2、ＳＲ19、ＯＲ20、ＣＯＲ21、ＣＯＯＲ22、またはＣＯＮＲ23Ｒ24から選択される１つ以上の同じかまたは異なる基で置換されていてもよく；
ＲMcは、Ｆ、Ｃｌ、Ｂｒ、Ｉ、Ｃ1〜Ｃ12−アルキル、Ｃ1〜Ｃ12−ハロアルキル、ＣＮ、ＮＯ2、ＳＲ19、ＯＲ20、ＣＯＲ21、ＣＯＯＲ22、ＣＯＮＲ23Ｒ24、フェニル、Ｃ3〜Ｃ10−シクロアルキル、またはヘテロシクロアルキルであり、この場合、最後に言及された２つの基は、１つ以上のＣＯ基で中断されていてもよく；
Ｚは、Ｃ1〜Ｃ20−アルキレン、またはＣ6〜Ｃ20−アリーレンであり、
この場合、Ｃ1〜Ｃ20−アルキレンは、１つ以上の非隣接基ＲZiで中断されていてもよく、ならびに／あるいは１つ以上の同じかまたは異なる基ＲZaで置換されていてもよく、ならびに
Ｃ6〜Ｃ20−アリーレンは、１つ以上の基ＲZcで置換されていてもよく、
この場合
ＲZiは、ＲMiに対して示される意味のうちの１つを有し、
ＲZaは、ＲMaに対して示される意味のうちの１つを有し、
ＲZcは、ＲMcに対して示される意味のうちの１つを有し、
ＲNは、互いに独立して、水素、Ｃ1〜Ｃ20−アルキル、Ｃ1〜Ｃ10−アルカノイル、Ｃ6〜Ｃ10−アロイル、Ｃ1〜Ｃ20−アルキルスルホニル、Ｃ2〜Ｃ20−アルケニルスルホニル、Ｃ6〜Ｃ10−アリールスルホニル、Ｃ3〜Ｃ10−シクロアルキル、ヘテロシクロアルキル、Ｃ6〜Ｃ10−アリール、およびヘテロアリールから選択され、この場合、Ｃ3〜Ｃ10−シクロアルキルおよびヘテロシクロアルキルは、１つ以上のＣＯ基で中断されていてもよい］の化合物から選択される少なくとも１種のスルホニウムサルフェート、ならびにその互変異性体または立体異性体、を含む熱硬化性組成物。
【請求項２】
式ＩａにおけるＲ1が、式Ａ：
【化５】
2014507536.tif 000005
［式中、
Ｒ25およびＲ26は、それぞれ互いに独立して、水素、Ｃ1〜Ｃ12−アルキル、およびフェニルから選択され；ならびに、
Ｒ27、Ｒ28、Ｒ29、Ｒ30、およびＲ31は、それぞれ互いに独立して、水素、Ｆ、Ｃｌ、Ｂｒ、Ｉ、ＮＯ2、ＯＲ20、ＣＯＯＲ22、ＣＯＮＲ23Ｒ24、Ｃ1〜Ｃ12−アルキル、Ｃ2〜Ｃ12−アルケニル、およびフェニルから選択されるか、あるいは、
隣接炭素原子に結合している２つの基Ｒ27およびＲ28、ならびに／あるいはＲ28およびＲ29ならびに／あるいはＲ29およびＲ30ならびに／あるいはＲ30およびＲ31は、一緒に、−ＣＨ2ＣＨ2ＣＨ2−、−ＣＨ2ＣＨ2ＣＨ2ＣＨ2−、および−ＣＨ＝ＣＨ−ＣＨ＝ＣＨ−から選択される基であってもよく、すなわち、それらが結合している炭素原子と一緒に、５または６員環を形成していてもよい］の基から選択され、
ならびに、式Ｂ：
【化６】
2014507536.tif 000006
［式中、
Ｒ33およびＲ34は、それぞれ互いに独立して、水素、Ｃ1〜Ｃ12−アルキル、およびフェニルから選択され；ならびに、
Ｒ35、Ｒ36、およびＲ37は、互いに独立して、水素、Ｆ、Ｃｌ、Ｃ1〜Ｃ12−アルキル、Ｃ2〜Ｃ12−アルケニル、およびフェニルから選択される］の基からなる群からも選択され、
この場合、Ｒ20、Ｒ22、Ｒ23、およびＲ24は、請求項１において定義される通りである、
請求項１に記載の熱硬化性組成物。
【請求項３】
式ＩａにおけるＲ1が、Ｆ、Ｃｌ、Ｂｒ、Ｉ、Ｃ1〜Ｃ12−アルキル、ＯＲ20、ＣＯＲ21、ＣＯＯＲ22、およびＣＯＮＲ23Ｒ24から選択される１つ以上の同じかまたは異なる基で置換されていてもよいＣ3〜Ｃ12−シクロアルキルから選択され；ならびに
Ｆ、Ｃｌ、Ｂｒ、Ｉ、ＯＲ20、ＣＯＲ21、ＣＯＯＲ22、ＣＯＮＲ23Ｒ24、Ｃ3〜Ｃ12−シクロアルキル、およびヘテロシクリルから選択される１つ以上の基で置換されていてもよいＣ1〜Ｃ12−アルキルからなる群からも選択され、
この場合、Ｒ20、Ｒ21、Ｒ22、Ｒ23、およびＲ24は、請求項１において定義される通りである、
請求項１に記載の熱硬化性組成物。
【請求項４】
式ＩａにおけるＲ1が、ナフチルメチル；ベンジル；ニトロ、フッ素、塩素、Ｃ1〜Ｃ4−アルキル、Ｃ1〜Ｃ4−アルコキシ、Ｃ1〜Ｃ4−アルコキシカルボニル、Ｃ（Ｏ）Ｏ−（Ｃ1〜Ｃ4−アルキル−ＯＨ）、およびＣ（Ｏ）Ｎ（Ｃ1〜Ｃ4−アルキル）2から選択される１つまたは２つの基で置換されているベンジル；Ｃ3〜Ｃ8−シクロアルキル；Ｃ1〜Ｃ6−アルキル；Ｃ1〜Ｃ4−アルコキシ−（ＣＯ）−Ｃ1〜Ｃ4−アルキル；（５または６員環飽和ヘテロシクロアルキル）−Ｃ1〜Ｃ4−アルキル；フェノキシ−Ｃ1〜Ｃ4−アルキル；プロパ−２−エン−１−イル、３−フェニルプロパ−２−エン−１−イル、２−（Ｃ1〜Ｃ4−アルキル）−プロパ−２−エン−１−イル；または３−（Ｃ1〜Ｃ4−アルキル）−プロパ−２−エン−１−イル、である、請求項１〜３のいずれか一項に記載の熱硬化性組成物。
【請求項５】
式ＩａにおけるＲ2およびＲ3が、互いに独立して、
非置換であるか、あるいは、Ｆ、Ｃｌ、Ｂｒ、Ｉ、ＯＲ20、ＣＯＲ21、ＣＯＯＲ22、ＣＯＮＲ23Ｒ24、ヘテロシクロアルキル、Ｃ3〜Ｃ8−シクロアルキル、フェニル、およびナフチル（この場合、最後に言及された２つの基は、非置換であるか、あるいは、Ｆ、Ｃｌ、Ｂｒ、Ｉ、ＮＯ2、Ｃ1〜Ｃ12−アルキル、ＯＲ20、ＣＯＯＲ22、およびＣＯＮＲ23Ｒ24から選択される１つ、２つ、３つ、４つ、または５つの基で置換されている）から選択される１つ以上の基で置換されている、Ｃ1〜Ｃ12−アルキル、
非置換であるか、あるいは、Ｆ、Ｃｌ、Ｂｒ、Ｉ、ＯＲ20、ＣＯＲ21、ＣＯＯＲ22、ＣＯＮＲ23Ｒ24、ヘテロシクリル、Ｃ3〜Ｃ8−シクロアルキル、フェニル、およびナフチル（この場合、最後に言及された２つの基は、非置換であるか、あるいは、Ｆ、Ｃｌ、Ｂｒ、Ｉ、ＮＯ2、Ｃ1〜Ｃ12−アルキル、ＯＲ20、ＣＯＯＲ22、およびＣＯＮＲ23Ｒ24から選択される１つ、２つ、３つ、４つ、または５つの基で置換されている）から選択される１つ以上の基で置換されている、Ｃ3〜Ｃ12−シクロアルキル、ならびに、
非置換であるか、あるいは、Ｆ、Ｃｌ、Ｂｒ、Ｉ、Ｃ1〜Ｃ10−アルキル、ＳＲ19、およびＯＲ20から選択される１つ、２つ、３つ、４つ、または５つの基で置換されている、フェニル、
から選択され、
この場合、Ｒ19、Ｒ20、Ｒ22、Ｒ23、およびＲ24が、請求項１において定義される通りである、
請求項１〜４のいずれか一項に記載の熱硬化性組成物。
【請求項６】
式ＩａにおけるＲ2およびＲ3が、互いに独立して、Ｃ1〜Ｃ8−アルキル；フェニル−Ｃ1〜Ｃ6−アルキル（最後に言及された基のアルキル部分は、ベンゾイルで置換されている）；ナフチル−Ｃ1〜Ｃ6−アルキル；（５または６員環飽和ヘテロシクリル）−Ｃ1〜Ｃ6−アルキル、フェノキシ−Ｃ1〜Ｃ6−アルキル、ベンゾイル−Ｃ1〜Ｃ6−アルキル、Ｃ1〜Ｃ4−アルコキシ−Ｃ（＝Ｏ）−Ｃ1〜Ｃ6−アルキル、Ｃ1〜Ｃ4アルコキシ−Ｃ1〜Ｃ4−アルコキシ−Ｃ（＝Ｏ）−Ｃ1〜Ｃ6−アルキル、ベンジルオキシカルボニル−Ｃ1〜Ｃ6−アルキル、フェニル、およびフェニル−Ｃ1〜Ｃ6−アルキル（最後に言及された基における芳香族環は、Ｆ、Ｃｌ、Ｂｒ、Ｉ、ＯＨ、ＮＯ2、Ｃ1〜Ｃ10−アルキル、Ｃ1〜Ｃ4−アルコキシ、（５または６員環飽和ヘテロシクロアルキル）−Ｃ1〜Ｃ4−アルコキシ、Ｃ1〜Ｃ4−フルオロアルカノイルオキシ、ヒドロキシ−Ｃ1〜Ｃ4−アルコキシカルボニル、Ｃ1〜Ｃ4−アルコキシカルボニル、Ｃ1〜Ｃ4−アルコキシ−Ｃ1〜Ｃ4−アルコキシカルボニル、ベンジルオキシカルボニル、およびＣ（＝Ｏ）Ｎ（Ｃ1〜Ｃ8−アルキル）2からなる群から互いに独立して選択される１つ、２つ、３つ、４つ、または５つの基で置換されていてもよい）、から選択される、請求項５に記載の熱硬化性組成物。
【請求項７】
式ＩａにおけるＲ1およびＲ2あるいはＲ2およびＲ3あるいはＲ1およびＲ3が、それらが結合している硫黄原子と一緒に、（１つのフェニル環に縮合していてもよい）５または６員環の飽和複素環を形成している、請求項１に記載の熱硬化性組成物。
【請求項８】
式ＩａにおけるＲ4が、ＮＲ11Ｒ12；−Ｎ＝ＣＲ13Ｒ14；
Ｃ1〜Ｃ12−アルキル、Ｃ2〜Ｃ12−アルケニル（この場合、最後に言及された２つの基は、Ｆ、Ｃｌ、Ｂｒ、Ｉ、ＯＲ20、ＣＯＲ21、ＣＯＯＲ22、Ｃ3〜Ｃ20−シクロアルキル、ヘテロシクリル、フェニル、およびナフチル（この場合、最後に言及された２つの基の芳香族環は、Ｆ、Ｃｌ、Ｂｒ、Ｉ、Ｃ1〜Ｃ12−アルキル、Ｃ1〜Ｃ12−ハロアルキル、ＮＯ2、ＳＲ19、ＯＲ20、ＣＯＲ21、ＣＯＯＲ22、およびＣＯＮＲ23Ｒ24から選択される１つ以上の同じかまたは異なる基で置換されていてもよく、ならびにシクロアルキルおよびヘテロシクリルは、１つ以上のＣＯ基で中断されていてもよい）から選択される１つ以上の同じかまたは異なる基Ｒ4aで置換されていてもよく、さらに、ジェミナルに結合している２つの基Ｒ4aは、一緒に、Ｎ−ヒドロキシイミノ基を形成していてもよい）、ならびに、
１つ以上のＣ1〜Ｃ12−アルキル、Ｆ、Ｃｌ、Ｂｒ、Ｉ、ＮＯ2、またはＣＯＯＲ22で置換されていてもよいフェニル、
から選択され、
この場合、Ｒ11、Ｒ12、Ｒ13、Ｒ14、Ｒ19、Ｒ20、Ｒ21、Ｒ22、Ｒ23、およびＲ24は、請求項１において定義される通りである、
請求項１〜７のいずれか一項に記載の熱硬化性組成物。
【請求項９】
式ＩａにおけるＲ4が、
Ｃ1〜Ｃ4−アルコキシ−Ｃ1〜Ｃ6−アルキル、Ｃ1〜Ｃ4−アルキルスルファニル−Ｃ1〜Ｃ6−アルキル、Ｃ1〜Ｃ4−アルコキシカルボニル−Ｃ1〜Ｃ6−アルキル、Ｃ1〜Ｃ6−フルオロアルキル、（５または６員環ヘテロアリール）−Ｃ1〜Ｃ6−アルキル、ナフチル−Ｃ1〜Ｃ6−アルキル、フェノキシ−Ｃ1〜Ｃ6−アルキル、フェニル−Ｃ1〜Ｃ6−アルキル、（Ｃ1〜Ｃ4−アルキル）−フェニル−Ｃ1〜Ｃ6−アルキル、ニトロ−フェニル−Ｃ1〜Ｃ6−アルキル、（ＯＨ、Ｎ−ヒドロキシイミノ、およびベンゾイルから選択される１つ、２つ、３つ、または４つの基で置換されていてもよい）Ｃ1〜Ｃ6−アルキル、
フェニル−Ｃ3〜Ｃ6−アルケニルおよびＣ3〜Ｃ12−シクロアルキル（この場合、最後に言及された２つの基の環状部分は、Ｃ1〜Ｃ4−アルキルから選択される１つ、２つ、３つ、４つ、または５つの基で置換されていてもよい）、
から選択される、請求項８に記載の熱硬化性組成物。
【請求項１０】
式ＩａにおけるＲ4が、−Ｎ＝ＣＲ13Ｒ14（この場合、Ｒ13およびＲ14は、互いに独立して、Ｃ1〜Ｃ8−アルキル、フェニル、フェニルスルファニル、Ｃ1〜Ｃ4−アルコキシカルボニル、Ｃ1〜Ｃ4−アルコキシカルボニル−Ｃ1〜Ｃ4−アルキル、ベンジルオキシカルボニル、ベンゾイル、Ｃ1〜Ｃ4−アルキルスルファニルフェニル、（フェニルスルファニル）−ベンゾイル、（フェニルスルファニル）フェニルから選択されるか、あるいはＲ13およびＲ14は、それらが結合している炭素原子と一緒に、Ｃ5〜Ｃ8−シクロアルキル環を形成している）であるか、
あるいは、Ｒ4が、−ＮＲ11Ｒ12（この場合、Ｒ11はフェニルであり、ならびにＲ12はベンゾイルである）である、請求項８に記載の熱硬化性組成物。
【請求項１１】
式Ｉａにおいて、
Ｒ1が、前記式Ａの基；前記式Ｂの基；Ｃ3〜Ｃ8−シクロアルキル；Ｃ1〜Ｃ6−アルキル；Ｃ1〜Ｃ4−アルコキシ−（ＣＯ）−Ｃ1〜Ｃ4−アルキル；（５または６員環飽和ヘテロシクロアルキル）−Ｃ1〜Ｃ4−アルキル；またはフェノキシ−Ｃ1〜Ｃ4−アルキルであり；
Ｒ2が、Ｃ1〜Ｃ8−アルキル；Ｃ1〜Ｃ4−アルコキシ−Ｃ1〜Ｃ4−アルキル；Ｃ1〜Ｃ4−アルコキシ−Ｃ1〜Ｃ4−アルコキシ−Ｃ（＝Ｏ）−Ｃ1〜Ｃ6−アルキル；（５または６員環ヘテロシクロアルキル）−Ｃ1〜Ｃ4−アルキル；ナフタレン−Ｃ1〜Ｃ4−アルキル、フェニル−Ｃ1〜Ｃ4−アルキル；フェニル部分が、ニトロ、塩素、ヒドロキシ、Ｃ1〜Ｃ10−アルキル、Ｃ1〜Ｃ4−アルコキシ、Ｃ1〜Ｃ4−アルコキシカルボニル、Ｃ1〜Ｃ4−アルコキシ−Ｃ1〜Ｃ4−アルコキシカルボニル、ヒドロキシ−Ｃ1〜Ｃ4−アルコキシカルボニル、ベンジルオキシカルボニル、およびＣ（＝Ｏ）Ｎ（Ｃ1〜Ｃ8−アルキル）2から選択される１つ、２つ、３つ、４つ、または５つの基で置換されているフェニル−Ｃ1〜Ｃ4−アルキル；ベンゾイル−Ｃ1〜Ｃ4−アルキル；フェノキシ−Ｃ1〜Ｃ4−アルキル；ベンジルオキシカルボニル−Ｃ1〜Ｃ4−アルキル；フェニル；ＯＨおよびＣ1〜Ｃ10−アルキルから選択される１つ、２つ、３つ、４つ、または５つの基で置換されているフェニル；であり、
Ｒ3が、Ｃ1〜Ｃ8−アルキル；Ｃ1〜Ｃ4−アルコキシ−Ｃ1〜Ｃ6−アルキル；ベンジルオキシカルボニル−Ｃ1〜Ｃ4−アルキル；フェニル；ＯＨ、Ｃ1〜Ｃ4−フルオロアルカノイルオキシ、（５または６員環ヘテロシクロアルキル）−Ｃ1〜Ｃ4−アルコキシ、Ｃ1〜Ｃ6−アルコキシ、およびＣ1〜Ｃ10−アルキルから選択される１つ、２つ、３つ、４つ、または５つの基で置換されているフェニル；フェニル−Ｃ1〜Ｃ4−アルキル；フェニル部分がＣ1〜Ｃ4−アルキルから選択される１つ、２つ、３つ、４つ、または５つの基で置換されているフェニル−Ｃ1〜Ｃ4−アルキル、例えば、４−メチルベンジル；であり、
Ｒ4が、Ｃ1〜Ｃ4−アルコキシ−Ｃ1〜Ｃ6−アルキル；Ｃ1〜Ｃ4−アルキルスルファニル−Ｃ1〜Ｃ6−アルキル；Ｃ1〜Ｃ4−アルコキシカルボニル−Ｃ1〜Ｃ6−アルキル；Ｃ1〜Ｃ6−フルオロアルキル；（５または６員環ヘテロアリール）−Ｃ1〜Ｃ6−アルキル；ナフチル−Ｃ1〜Ｃ6−アルキル；フェノキシ−Ｃ1〜Ｃ6−アルキル；フェニル−Ｃ1〜Ｃ6−アルキル；（Ｃ1〜Ｃ4−アルキル）−フェニル−Ｃ1〜Ｃ6−アルキル；ニトロ−フェニル−Ｃ1〜Ｃ6−アルキル；ＯＨ、Ｎ−ヒドロキシイミノ、ベンゾイル、フェニル、およびフェノキシから選択される１つ、２つ、３つ、または４つの基で置換されていてもよいＣ1〜Ｃ12−アルキル；
フェニル−Ｃ3〜Ｃ6−アルケニル、Ｃ3〜Ｃ12−シクロアルキル（この場合、最後に言及された２つの基の環状部分は、Ｃ1〜Ｃ4−アルキルから選択される１つ、２つ、３つ、４つ、または５つの基で置換されていてもよい）；
ＮＲ11Ｒ12；または−Ｎ＝ＣＲ13Ｒ14；
であり、
この場合、基Ａ、基Ｂ、Ｒ11、Ｒ12、Ｒ13、およびＲ14は、請求項１において定義される通りである、
請求項１に記載の熱硬化性組成物。
【請求項１２】
式Ｉａにおいて、
Ｒ1が、前記式Ａの基または前記式Ｂの基であり；
Ｒ2が、Ｃ1〜Ｃ8−アルキル；Ｃ1〜Ｃ4−アルコキシ−Ｃ1〜Ｃ4−アルキル；Ｃ1〜Ｃ4−アルコキシ−Ｃ1〜Ｃ4−アルコキシ−Ｃ（＝Ｏ）−Ｃ1〜Ｃ6−アルキル；（５または６員環ヘテロシクロアルキル）−Ｃ1〜Ｃ4−アルキル；ナフタレン−Ｃ1〜Ｃ4−アルキル、フェニル−Ｃ1〜Ｃ4−アルキル；フェニル部分が、ニトロ、塩素、ヒドロキシ、Ｃ1〜Ｃ10−アルキル、Ｃ1〜Ｃ4−アルコキシ、Ｃ1〜Ｃ4−アルコキシカルボニル、Ｃ1〜Ｃ4−アルコキシ−Ｃ1〜Ｃ4−アルコキシカルボニル、ヒドロキシ−Ｃ1〜Ｃ4−アルコキシカルボニル、ベンジルオキシカルボニル、およびＣ（＝Ｏ）Ｎ（Ｃ1〜Ｃ8−アルキル）2から選択される１つ、２つ、３つ、４つ、または５つの基で置換されているフェニル−Ｃ1〜Ｃ4−アルキル；ベンゾイル−Ｃ1〜Ｃ4−アルキル；フェノキシ−Ｃ1〜Ｃ4−アルキル；ベンジルオキシカルボニル−Ｃ1〜Ｃ4−アルキル；フェニル；ＯＨおよびＣ1〜Ｃ10−アルキルから選択される１つ、２つ、３つ、４つ、または５つの基で置換されているフェニル；であり、
Ｒ3が、Ｃ1〜Ｃ8−アルキル；Ｃ1〜Ｃ4−アルコキシ−Ｃ1〜Ｃ6−アルキル；ベンジルオキシカルボニル−Ｃ1〜Ｃ4−アルキル；フェニル；ＯＨ、Ｃ1〜Ｃ4−フルオロアルカノイルオキシ、（５または６員環ヘテロシクロアルキル）−Ｃ1〜Ｃ4−アルコキシ、Ｃ1〜Ｃ6−アルコキシ、およびＣ1〜Ｃ10−アルキルから選択される１つ、２つ、３つ、４つ、または５つの基で置換されているフェニル；フェニル−Ｃ1〜Ｃ4−アルキル；フェニル部分がＣ1〜Ｃ4−アルキルから選択される１つ、２つ、３つ、４つ、または５つの基で置換されているフェニル−Ｃ1〜Ｃ4−アルキル、例えば、４−メチルベンジル；であり、
Ｒ4が、Ｃ1〜Ｃ4−アルコキシ−Ｃ1〜Ｃ6−アルキル；Ｃ1〜Ｃ4−アルキルスルファニル−Ｃ1〜Ｃ6−アルキル；Ｃ1〜Ｃ4−アルコキシカルボニル−Ｃ1〜Ｃ6−アルキル；Ｃ1〜Ｃ6−フルオロアルキル；（５または６員環ヘテロアリール）−Ｃ1〜Ｃ6−アルキル；ナフチル−Ｃ1〜Ｃ6−アルキル；フェノキシ−Ｃ1〜Ｃ6−アルキル；フェニル−Ｃ1〜Ｃ6−アルキル；（Ｃ1〜Ｃ4−アルキル）−フェニル−Ｃ1〜Ｃ6−アルキル；ニトロ−フェニル−Ｃ1〜Ｃ6−アルキル；ＯＨ、Ｎ−ヒドロキシイミノ、ベンゾイル、フェニル、およびフェノキシから選択される１つ、２つ、３つ、または４つの基で置換されていてもよいＣ1〜Ｃ12−アルキル；
フェニル−Ｃ3〜Ｃ6−アルケニル、Ｃ3〜Ｃ12−シクロアルキル（この場合、最後に言及された２つの基の環状部分は、Ｃ1〜Ｃ4−アルキルから選択される１つ、２つ、３つ、４つ、または５つの基で置換されていてもよい）；
ＮＲ11Ｒ12；または−Ｎ＝ＣＲ13Ｒ14；であり、
この場合、基Ａおよび基Ｂは、請求項１または２において定義される通りであり、ならびにＲ11、Ｒ12、Ｒ13、およびＲ14は、請求項１において定義される通りである、
請求項１に記載の組成物。
【請求項１３】
式ＩｂにおけるＲ5、Ｒ6、Ｒ7、およびＲ8が、互いに独立して、
非置換であるか、あるいは、Ｆ、Ｃｌ、Ｂｒ、Ｉ、ＯＲ20、ＣＯＲ21、ＣＯＯＲ22、ＣＯＮＲ23Ｒ24、ヘテロシクリル、Ｃ3〜Ｃ8−シクロアルキル、フェニル、およびナフチル（この場合、最後に言及された２つの基は、非置換であるか、あるいは、Ｆ、Ｃｌ、Ｂｒ、Ｉ、ＮＯ2、Ｃ1〜Ｃ12−アルキル、ＯＲ20、ＣＯＯＲ22、およびＣＯＮＲ23Ｒ24から選択される１つ、２つ、３つ、４つ、または５つの同じまたは異なる基で置換されている）から選択される１つ以上の基で置換されているＣ1〜Ｃ12−アルキル、
非置換であるか、あるいは、Ｆ、Ｃｌ、Ｂｒ、Ｉ、ＯＲ20、ＣＯＲ21、ＣＯＯＲ22、ＣＯＮＲ23Ｒ24、ヘテロシクリル、Ｃ3〜Ｃ8−シクロアルキル、フェニル、およびナフチル（この場合、最後に言及された２つの基は、非置換であるか、あるいは、Ｆ、Ｃｌ、Ｂｒ、Ｉ、ＮＯ2、Ｃ1〜Ｃ12−アルキル、ＯＲ20、ＣＯＯＲ22、およびＣＯＮＲ23Ｒ24から選択される１つ、２つ、３つ、４つ、または５つの基で置換されている）から選択される１つ以上の基で置換されているＣ3〜Ｃ12−シクロアルキル、ならびに
非置換であるか、あるいは、Ｆ、Ｃｌ、Ｂｒ、Ｉ、Ｃ1〜Ｃ10−アルキル、ＳＲ19、およびＯＲ20から選択される１つ、２つ、３つ、４つ、または５つの基で置換されているフェニル、
から選択され、
この場合、Ｒ19、Ｒ20、Ｒ22、Ｒ23、およびＲ24は、請求項１において定義される通りである、
請求項１に記載の熱硬化性組成物。
【請求項１４】
式ＩｂにおけるＲ9およびＲ10が、互いに独立して、
ＮＲ11Ｒ12、−Ｎ＝ＣＲ13Ｒ14、
Ｃ1〜Ｃ12−アルキル、Ｃ2〜Ｃ12−アルケニル（この場合、最後に言及された２つの基は、Ｆ、Ｃｌ、Ｂｒ、Ｉ、ＳＲ19、ＯＲ20、ＣＯＲ21、ＣＯＯＲ22、Ｃ3〜Ｃ20−シクロアルキル、ヘテロシクロアルキル、フェニル、またはナフチル（この場合、最後に言及された２つの基の芳香族環は、１つ以上のＦ、Ｃｌ、Ｂｒ、Ｉ、Ｃ1〜Ｃ12−アルキル、Ｃ1〜Ｃ12−ハロアルキル、ＮＯ2、ＳＲ19、ＯＲ20、ＣＯＲ21、ＣＯＯＲ22、またはＣＯＮＲ23Ｒ24で置換されていてもよく、ならびにシクロアルキル、およびヘテロシクロアルキルは、１つ以上のＣＯ基で中断されていてもよい）から選択される１つ以上の同じかまたは異なる基で置換されていてもよい）、
１つ以上のＣ1〜Ｃ12−アルキル、Ｆ、Ｃｌ、Ｂｒ、Ｉ、ＮＯ2、またはＣＯＯＲ22で置換されていてもよいフェニル、
から選択され、
この場合、Ｒ11、Ｒ12、Ｒ13、Ｒ14、Ｒ19、Ｒ20、Ｒ21、Ｒ22、Ｒ23、およびＲ24は、請求項１において定義される通りである、
請求項１および１３に記載の熱硬化性組成物。
【請求項１５】
式ＩｂにおけるＭが、フェニレン（これは、Ｆ、Ｃｌ、Ｂｒ、Ｉ、Ｃ1〜Ｃ12−アルキル、Ｃ1〜Ｃ12−ハロアルキル、ＳＲ19、ＯＲ20、ＣＯＲ21、ＣＯＯＲ22、ＣＯＮＲ23Ｒ24、およびフェニルから選択される１つ以上の基で置換されていてもよい）から選択され；
ならびに、Ｃ1〜Ｃ12−アルキレン（これは、Ｆ、Ｃｌ、Ｂｒ、Ｉ、Ｃ1〜Ｃ12−アルキル、Ｃ1〜Ｃ12−ハロアルキル、ＣＮ、ＳＲ19、ＯＲ20、ＣＯＲ21、ＣＯＯＲ22、ＣＯＮＲ23Ｒ24、Ｃ6〜Ｃ10−アリール、ヘテロアリール、または（Ｆ、Ｃｌ、Ｂｒ、Ｉ、Ｃ1〜Ｃ12−アルキル、Ｃ1〜Ｃ12−ハロアルキル、ＣＮ、ＮＯ2、ＳＲ19、ＯＲ20、ＣＯＲ21、ＣＯＯＲ22、およびＣＯＮＲ23Ｒ24から選択される１つ以上の同じかまたは異なる基で置換されている）Ｃ6〜Ｃ10−アリールから選択される１つ以上の同じかまたは異なる基で置換されていてもよく、ならびに／あるいは−Ｏ−、−Ｓ−、−Ｏ−フェニレン−、および−フェニレン−（この場合、それらの一部に対して最後に言及された２つの基は、Ｆ、Ｃｌ、Ｂｒ、Ｉ、Ｃ1〜Ｃ12−アルキル、Ｃ1〜Ｃ12−ハロアルキル、ＳＲ19、ＯＲ20、ＣＯＲ21、ＣＯＯＲ22、ＣＯＮＲ23Ｒ24、およびフェニルから選択される１つ以上の同じかまたは異なる基で置換されていてもよい）から選択される１つ以上の非隣接基で中断されていてもよい）からなる群からも選択され、
この場合、Ｒ19、Ｒ20、Ｒ22、Ｒ23、およびＲ24は、請求項１において定義される通りである、
請求項１、１３、および１４に記載の熱硬化性組成物。
【請求項１６】
前記式Ｉｂの化合物において、
Ｒ5、Ｒ6、Ｒ7、およびＲ8が、互いに独立して、
非置換であるか、あるいは、Ｆ、Ｃｌ、Ｂｒ、Ｉ、ＯＲ20、ＣＯＲ21、ＣＯＯＲ22、ＣＯＮＲ23Ｒ24、ヘテロシクロアルキル、Ｃ3〜Ｃ8−シクロアルキル、フェニル、およびナフチル（この場合、最後に言及された２つの基は、非置換であるか、あるいは、Ｆ、Ｃｌ、Ｂｒ、Ｉ、ＮＯ2、Ｃ1〜Ｃ12−アルキル、ＯＲ20、ＣＯＯＲ22、およびＣＯＮＲ23Ｒ24から選択される１つ、２つ、３つ、４つ、または５つの基で置換されている）から選択される１つ以上の基で置換されている、Ｃ1〜Ｃ12−アルキル；
非置換であるか、あるいは、Ｆ、Ｃｌ、Ｂｒ、Ｉ、ＯＲ20、ＣＯＲ21、ＣＯＯＲ22、ＣＯＮＲ23Ｒ24、ヘテロシクリル、Ｃ3〜Ｃ8−シクロアルキル、フェニル、およびナフチル（ここで、最後に言及された２つの基は、非置換であるか、あるいはＦ、Ｃｌ、Ｂｒ、Ｉ、ＮＯ2、Ｃ1〜Ｃ12−アルキル、ＯＲ20、ＣＯＯＲ22、およびＣＯＮＲ23Ｒ24から選択される１つ、２つ、３つ、４つ、または５つの基で置換されている）から選択される１つ以上の基で置換されている、Ｃ3〜Ｃ12−シクロアルキル；ならびに
非置換であるか、あるいは、Ｆ、Ｃｌ、Ｂｒ、Ｉ、Ｃ1〜Ｃ10−アルキル、ＳＲ19、およびＯＲ20から選択される１つ、２つ、３つ、４つ、または５つの基で置換されているフェニル；
から選択されるか、
あるいは、Ｒ5およびＲ6あるいはＲ7およびＲ8が、それらが結合している硫黄原子と一緒に、１つのフェニル環に縮合していてもよい５または６員環の飽和複素環を形成し；
Ｒ9、Ｒ10が、互いに独立して、ＮＲ11Ｒ12；
−Ｎ＝ＣＲ13Ｒ14（この場合、Ｒ13およびＲ14は、互いに独立して、Ｃ1〜Ｃ8−アルキル、フェニル、フェニルスルファニル、Ｃ1〜Ｃ4−アルコキシカルボニル、Ｃ1〜Ｃ4−アルコキシカルボニル−Ｃ1〜Ｃ4−アルキル、ベンジルオキシカルボニル、ベンゾイル、Ｃ1〜Ｃ4−アルキルスルファニルフェニル、フェニルスルファニル−ベンゾイルから選択されるか、あるいはＲ13およびＲ14は、それらが結合している炭素原子と一緒に、Ｃ5〜Ｃ8−シクロアルキル環を形成している）；
Ｃ1〜Ｃ12−アルキル、Ｃ2〜Ｃ12−アルケニル（この場合、最後に言及された２つの基は、Ｆ、Ｃｌ、Ｂｒ、Ｉ、ＯＲ20、ＣＯＲ21、ＣＯＯＲ22、Ｃ3〜Ｃ20−シクロアルキル、ヘテロシクロアルキル、フェニル、およびナフチル（この場合、最後に言及された２つの基の芳香族環は、Ｆ、Ｃｌ、Ｂｒ、Ｉ、Ｃ1〜Ｃ12−アルキル、Ｃ1〜Ｃ12−ハロアルキル、ＮＯ2、ＳＲ19、ＯＲ20、ＣＯＲ21、ＣＯＯＲ22、およびＣＯＮＲ23Ｒ24から選択される１つ以上の同じかまたは異なる基で置換されていてもよく、ならびにシクロアルキル、およびヘテロシクロアルキルは、１つ以上のＣＯ基で中断されていてもよい）から選択される１つ以上の同じかまたは異なる基Ｒ4aで置換されていてもよく、さらに、ジェミナルに結合している２つの基Ｒ4aは、一緒に、Ｎ−ヒドロキシイミノ基を形成していてもよい）；ならびに、
１つ以上のＣ1〜Ｃ12−アルキル、Ｆ、Ｃｌ、Ｂｒ、Ｉ、ＮＯ2、またはＣＯＯＲ22で置換されていてもよいフェニル；
から選択され、
Ｍが、−Ｏ−、−Ｓ−、−Ｏ−フェニレン、およびフェニレン（この場合、最後に言及された基は、Ｃ1〜Ｃ12アルキル、Ｃ1〜Ｃ12−ハロアルキル、ＣＮ、ＮＯ2、ＳＲ19、ＯＲ20、ＣＯＲ21、ＣＯＯＲ22、ＣＯＮＲ23Ｒ24、およびフェニルから選択される１つ、２つ、３つ、または４つの基で置換されていてもよい）から選択される１つ、２つ、３つ、４つ、５つ、または６つの非隣接基で中断されているＣ2〜Ｃ8−アルキレンである。特に、Ｍは、１つのフェニレン基で中断されているＣ2〜Ｃ8−アルキレン、あるいは、酸素および−Ｏ−フェニレンから選択される１つ、２つ、３つ、または４つの基で中断されているＣ2〜Ｃ8−アルキレンであり、
この場合、Ｒ11、Ｒ12、Ｒ19、Ｒ20、Ｒ22、Ｒ23、およびＲ24は、請求項１において定義される通りである、
請求項１に記載の熱硬化性組成物。
【請求項１７】
前記式Ｉｂの化合物において
Ｒ5、Ｒ6、Ｒ7、およびＲ8が、互いに独立して、
非置換であるか、あるいは、Ｆ、Ｃｌ、Ｂｒ、Ｉ、ＯＲ20、ＣＯＲ21、ＣＯＯＲ22、ＣＯＮＲ23Ｒ24、ヘテロシクロアルキル、Ｃ3〜Ｃ8−シクロアルキル、フェニル、およびナフチル（この場合、最後に言及された２つの基は、非置換であるか、あるいは、Ｆ、Ｃｌ、Ｂｒ、Ｉ、ＮＯ2、Ｃ1〜Ｃ12−アルキル、ＯＲ20、ＣＯＯＲ22、およびＣＯＮＲ23Ｒ24から選択される１つ、２つ、３つ、４つ、または５つの基で置換されている）から選択される１つ以上の基で置換されている、Ｃ1〜Ｃ12−アルキル；
非置換であるか、あるいは、Ｆ、Ｃｌ、Ｂｒ、Ｉ、ＯＲ20、ＣＯＲ21、ＣＯＯＲ22、ＣＯＮＲ23Ｒ24、ヘテロシクリル、Ｃ3〜Ｃ8−シクロアルキル、フェニル、およびナフチル（ここで、最後に言及された２つの基は、非置換であるか、あるいはＦ、Ｃｌ、Ｂｒ、Ｉ、ＮＯ2、Ｃ1〜Ｃ12−アルキル、ＯＲ20、ＣＯＯＲ22、およびＣＯＮＲ23Ｒ24から選択される１つ、２つ、３つ、４つ、または５つの基で置換されている）から選択される１つ以上の基で置換されている、Ｃ3〜Ｃ12−シクロアルキル；ならびに、
非置換であるか、あるいは、Ｆ、Ｃｌ、Ｂｒ、Ｉ、Ｃ1〜Ｃ10−アルキル、ＳＲ19、およびＯＲ20から選択される１つ、２つ、３つ、４つ、または５つの基で置換されている、フェニル；
から選択されるか、
あるいは、Ｒ5およびＲ6あるいはＲ7およびＲ8が、それらが結合している硫黄原子と一緒に、１つのフェニル環に縮合していてもよい５または６員環の飽和複素環を形成し；
Ｍが、−Ｏ−、−Ｓ−、−Ｏ−フェニレン、およびフェニレン（この場合、最後に言及された基は、Ｃ1〜Ｃ12−アルキル、Ｃ1〜Ｃ12−ハロアルキル、ＣＮ、ＮＯ2、ＳＲ19、ＯＲ20、ＣＯＲ21、ＣＯＯＲ22、ＣＯＮＲ23Ｒ24、およびフェニルから選択される１つ、２つ、３つ、または４つの基で置換されていてもよい）から選択される１つ、２つ、３つ、４つ、５つ、または６つの非隣接基で中断されているＣ2〜Ｃ8−アルキレンである。特に、Ｍは、１つのフェニレン基で中断されているＣ2〜Ｃ8−アルキレン、あるいは、酸素および−Ｏ−フェニレンから選択される１つ、２つ、３つ、または４つの基で中断されているＣ2〜Ｃ8−アルキレンであり；ならびに、
Ｚが、Ｃ1〜Ｃ10−アルキレンまたは（Ｏ、Ｓ、フェニレン、−Ｏ−フェニレン、および−Ｏ−フェニレン−Ｏから選択される１つ以上、例えば、１つ、２つ、または３つの非隣接基ＲZiで置換されている）Ｃ1〜Ｃ10−アルキレンである、
請求項１に記載の熱硬化性組成物。
【請求項１８】
カチオン重合可能な前記化合物が、エポキシ基、オキセタン基、およびビニルエーテル基から選択される少なくとも１つの基を有する、請求項１〜１７のいずれか一項に記載の熱硬化性組成物。
【請求項１９】
溶媒、反応性希釈剤、光開始剤、顔料、分散剤、エチレン性不飽和化合物、化合物（ａ）とは異なりかつエチレン性不飽和化合物とも異なるバインダー、増感剤、式ＩａおよびＩｂの化合物とは異なる熱硬化促進剤、さらなる添加剤、ならびに混合物から選択される少なくとも１種のさらなる構成要素を含む、請求項１〜１８のいずれか一項に記載の熱硬化性組成物。
【請求項２０】
前記エチレン性不飽和化合物がアクリルモノマーである、請求項１９に記載の熱硬化性組成物。
【請求項２１】
カチオン重合可能な前記化合物がエポキシ樹脂である、請求項１〜２０のいずれか一項に記載の熱硬化性組成物。
【請求項２２】
式Ｉａ：
【化７】
2014507536.tif 000007
［式中、
Ｒ1は、請求項１、２、３、または４のいずれか一項において定義される通りであり；
Ｒ2およびＲ3は、請求項１、５、または６のいずれか一項において定義される通りであり；
Ｒ4は、Ｃ1〜Ｃ2−アルキル、Ｃ3〜Ｃ20−アルキル、Ｃ2〜Ｃ20−アルケニル、Ｃ2〜Ｃ20−アルキニル、Ｃ3〜Ｃ20−シクロアルキル、ヘテロシクロアルキル、Ｃ6〜Ｃ20−アリール、ヘテロアリール、−ＮＲ11Ｒ12、および−Ｎ＝ＣＲ13Ｒ14から選択され、
この場合、Ｃ1〜Ｃ2−アルキルは、１つ以上の同じかまたは異なる基Ｒ4aで置換されており、
Ｃ3〜Ｃ20−アルキル、Ｃ2〜Ｃ20−アルケニル、およびＣ2〜Ｃ20−アルキニルは、１つ以上の同じかまたは異なる基Ｒ4aで置換されていてもよく、ならびに／あるいは、−Ｏ−、−Ｓ−、−Ｃ（Ｏ）−、および−Ｎ（ＲN）−から選択される１つ以上の非隣接基で中断されていてもよく、
Ｃ3〜Ｃ20−シクロアルキルおよびヘテロシクロアルキルは、１つ以上のＣＯ基で中断されていてもよく、ならびに／あるいは１つ以上の同じかまたは異なる基Ｒ4bで置換されていてもよく、
Ｃ6〜Ｃ20−アリールおよびヘテロアリールは、１つ以上の同じかまたは異なる基Ｒ4cで置換されていてもよく、この場合、
Ｒ4aは、Ｆ、Ｃｌ、Ｂｒ、Ｉ、ＣＮ、ＳＲ19、ＯＲ20、ＣＯＲ21、ＣＯＯＲ22、ＣＯＮＲ23Ｒ24、Ｃ3〜Ｃ20−シクロアルキル、ヘテロシクロアルキル（この場合、最後に言及された２つの基は、１つ以上のＣＯ基で中断されていてもよく、ならびに／あるいは１つ以上の同じかまたは異なる基Ｒ4abで置換されていてもよい）、ヘテロアリールまたはＣ6〜Ｃ10−アリール（この場合、最後に言及された２つの基は、１つ以上の同じかまたは異なる基Ｒ4acで置換されていてもよい）、であり、
この場合、
Ｒ4abは、請求項１において定義される通りであり、
Ｒ4acは、請求項１において定義される通りであり、
さらに、２つの基Ｒ4aがジェミナルに結合している場合、該２つの基Ｒ4aは一緒にＮ−ヒドロキシイミノ基を形成してもよく；
Ｒ4bは、Ｆ、Ｃｌ、Ｂｒ、Ｉ、Ｃ1〜Ｃ12−アルキル、Ｃ1〜Ｃ12−ハロアルキル、ＣＮ、ＳＲ19、ＯＲ20、ＣＯＲ21、ＣＯＯＲ22、ＣＯＮＲ23Ｒ24、Ｃ6〜Ｃ10−アリール、またはヘテロアリールであり、この場合、最後に言及された２つの基は、１つ以上の同じかまたは異なる基Ｒ4bcで置換されていてもよく、この場合、
Ｒ4bcは、請求項１において定義される通りであり、
Ｒ4cは、Ｆ、Ｃｌ、Ｂｒ、Ｉ、Ｃ1〜Ｃ12−アルキル、Ｃ1〜Ｃ12−ハロアルキル、ＣＮ、ＮＯ2、ＳＲ19、ＯＲ20、ＣＯＲ21、ＣＯＯＲ22、ＣＯＮＲ23Ｒ24、フェニル、Ｃ3〜Ｃ10−シクロアルキル、またはヘテロシクロアルキルであり、この場合、最後に言及された２つの基は、１つ以上のＣＯ基で中断されていてもよく；
この場合、ＲN、Ｒ11、Ｒ12、Ｒ13、Ｒ14、Ｒ19、Ｒ20、Ｒ21、Ｒ22、Ｒ23、およびＲ24は、請求項１において定義される通りである］の化合物、ならびにそれらの立体異性体および互変異性体（ただし、Ｒ1がメチルであり、Ｒ2がベンジルであり、Ｒ3が４−ヒドロキシフェニルであり、およびＲ4がｎ−ドデシルである、式Ｉａの化合物を除く）。
【請求項２３】
Ｒ1が、Ｃ3〜Ｃ12−シクロアルキル；ＯＲ20で置換されているＣ3〜Ｃ12−シクロアルキル；ＣＯＲ21で置換されているＣ3〜Ｃ12−シクロアルキル；ＣＯＯＲ22で置換されているＣ3〜Ｃ12−シクロアルキル；ＣＯＮＲ23Ｒ24で置換されているＣ3〜Ｃ12−シクロアルキル；Ｃ1〜Ｃ12−アルキル；Ｃ1〜Ｃ12−ハロアルキル；５または６員環飽和ヘテロシクリルで置換されているＣ1〜Ｃ12−アルキル；ＯＲ20で置換されているＣ1〜Ｃ12−アルキル；ＣＯＲ21で置換されているＣ1〜Ｃ12−アルキル；ＣＯＯＲ22で置換されているＣ1〜Ｃ12−アルキル；ＣＯＮＲ23Ｒ24で置換されているＣ1〜Ｃ12−アルキル；前記式Ａの基および前記式Ｂの基（この場合、式Ａの基および式Ｂの基は、請求項２において定義される通りであり、Ｒ20、Ｒ21、Ｒ23、およびＲ24は、請求項１において定義される通りである）；から選択され、
Ｒ2およびＲ3が、互いに独立して、Ｃ1〜Ｃ8−アルキル；フェニルアルキルのアルキル部分がベンゾイルで置換されているフェニル−Ｃ1〜Ｃ4−アルキル；ナフチル−Ｃ1〜Ｃ4−アルキル；（５または６員環飽和ヘテロシクリル）−Ｃ1〜Ｃ4−アルキル、フェノキシ−Ｃ1〜Ｃ4−アルキル、ベンゾイル−Ｃ1〜Ｃ4−アルキル、Ｃ1〜Ｃ4−アルコキシ−Ｃ（＝Ｏ）−Ｃ1〜Ｃ4−アルキル、Ｃ1〜Ｃ4−アルコキシ−Ｃ1〜Ｃ4−アルコキシ−Ｃ（＝Ｏ）−Ｃ1〜Ｃ4−アルキル、ベンジルオキシカルボニル−Ｃ1〜Ｃ4−アルキル、フェニル、およびフェニル−Ｃ1〜Ｃ6−アルキル（この場合、最後に言及された２つの基の芳香族環は、Ｆ、Ｃｌ、Ｂｒ、Ｉ、ＯＨ、ＮＯ2、Ｃ1〜Ｃ10−アルキル、Ｃ1〜Ｃ4−アルコキシ、ヘテロシクリル−Ｃ1〜Ｃ4−アルコキシ、Ｃ1〜Ｃ4−ハロアルキルカルボニルオキシ、ヒドロキシ−Ｃ1〜Ｃ4−アルコキシカルボニル、Ｃ1〜Ｃ4−アルコキシカルボニル、Ｃ1〜Ｃ4−アルコキシ−Ｃ1〜Ｃ4−アルコキシカルボニル、ベンジルオキシカルボニル、およびＣ（＝Ｏ）Ｎ（Ｃ1〜Ｃ8−アルキル）2からなる群より互いに独立して選択される１つ、２つ、３つ、４つ、または５つの基で置換されていてもよい）；から選択され、
あるいは、
Ｒ1およびＲ2あるいはＲ2およびＲ3が、それらが結合している硫黄原子と一緒に、１つのフェニル環に縮合していてもよい５または６員環の飽和複素環を形成し；ならびに、
Ｒ4が、ＮＲ11Ｒ12；−Ｎ＝ＣＲ13Ｒ14；
Ｆ、Ｃｌ、Ｂｒ、Ｉ、ＳＲ19、ＯＲ20、ＣＯＯＲ22、チエニル、ベンゾイル、Ｎ−ヒドロキシイミノ、フェニル、またはナフチル（この場合、最後に言及された２つの基の芳香族環は、Ｆ、Ｃｌ、Ｂｒ、Ｉ、Ｃ1〜Ｃ12−アルキル、Ｃ1〜Ｃ12−ハロアルキル、ＮＯ2、ＳＲ19、ＯＲ20、ＣＯＲ21、ＣＯＯＲ22、およびＣＯＮＲ23Ｒ24から選択される１つ以上の同じかまたは異なる基で置換されていてもよい）から選択される１つ以上の同じかまたは異なる基で置換されているＣ1〜Ｃ2−アルキル；
Ｃ3〜Ｃ12−アルキル、Ｃ2〜Ｃ12−アルケニル（この場合、最後に言及された２つの基は、１つ以上のＦ、Ｃｌ、Ｂｒ、Ｉ、ＯＲ20、ＣＯＲ21、ＣＯＯＲ22、ヘテロシクリル、フェニル、またはナフチル（この場合、最後に言及された２つの基の芳香族環は、１つ以上のＦ、Ｃｌ、Ｂｒ、Ｉ、Ｃ1〜Ｃ12−アルキル、Ｃ1〜Ｃ12−ハロアルキル、ＮＯ2、ＳＲ19、ＯＲ20、ＣＯＲ21、ＣＯＯＲ22、またはＣＯＮＲ23Ｒ24で置換されていてもよい）で置換されていてもよい）；
１つ以上のＣ1〜Ｃ12−アルキルで置換されていてもよいＣ3〜Ｃ12−シクロアルキル；ならびに
１つ以上のＣ1〜Ｃ12−アルキル、Ｆ、Ｃｌ、Ｂｒ、Ｉ、ＮＯ2、またはＣＯＯＲ22で置換されていてもよいフェニル、
から選択され、
この場合、ＲN、Ｒ11、Ｒ12、Ｒ13、Ｒ14、Ｒ19、Ｒ20、Ｒ21、Ｒ22、Ｒ23、およびＲ24は、請求項１において定義される通りである、
請求項２２に記載の式Ｉａの化合物。
【請求項２４】
式Ｉｂ：
【化８】
2014507536.tif 000008
［式中、
Ｒ5、Ｒ6、Ｒ7、およびＲ8は、請求項１または１３のいずれか一項において定義される通りであり；
Ｒ9およびＲ10は、請求項１または１４のいずれか一項において定義される通りであり；ならびに
Ｍは、請求項１または１５のいずれか一項において定義される通りである］の化合物、ならびにそれらの立体異性体および互変異性体（ただし、Ｒ5、Ｒ6、Ｒ7、およびＲ8がそれぞれエチルであり、Ｍが１，４−ＣＨ2−Ｃ6Ｈ4−ＣＨ2であり、ならびにＲ9およびＲ10がそれぞれｎ−ドデシルである、式Ｉｂの化合物を除く）。
【請求項２５】
Ｒ5、Ｒ6、Ｒ7、およびＲ8が、互いに独立して、−ＮＲ11Ｒ12；−Ｎ＝ＣＲ13Ｒ14；
Ｃ1〜Ｃ12−アルキル、Ｃ2〜Ｃ12−アルケニル（この場合、最後に言及された２つの基は、Ｆ、Ｃｌ、Ｂｒ、Ｉ、ＯＲ20、ＣＯＲ21、ＣＯＯＲ22、ヘテロシクリル、フェニル、およびナフチル（この場合、最後に言及された２つの基の芳香族環は、Ｆ、Ｃｌ、Ｂｒ、Ｉ、Ｃ1〜Ｃ12−アルキル、Ｃ1〜Ｃ12−ハロアルキル、ＮＯ2、ＳＲ19、ＯＲ20、ＣＯＲ21、ＣＯＯＲ22、およびＣＯＮＲ23Ｒ24から選択される１つ以上の同じかまたは異なる基で置換されていてもよい）から選択される１つ以上の同じかまたは異なる基で置換されていてもよい）；および
Ｃ1〜Ｃ12−アルキル、Ｆ、Ｃｌ、Ｂｒ、Ｉ、ＮＯ2、またはＣＯＯＲ22から選択される１つ以上の同じかまたは異なる基で置換されていてもよいフェニル、
から選択され、
この場合、Ｒ11、Ｒ12、Ｒ13、Ｒ14、Ｒ19、Ｒ20、Ｒ21、Ｒ22、Ｒ23、およびＲ24は、請求項１において定義される通りであり；
Ｍが、
（Ｆ、Ｃｌ、Ｂｒ、Ｉ、Ｃ1〜Ｃ12−アルキル、Ｃ1〜Ｃ12−ハロアルキル、ＣＮ、ＳＲ19、ＯＲ20、ＣＯＲ21、ＣＯＯＲ22、ＣＯＮＲ23Ｒ24、Ｃ6〜Ｃ10−アリール、ヘテロアリール、またはＣ6〜Ｃ10−アリールから選択される１つ以上の基で置換されていてもよく、
ならびに／あるいは、−Ｏ−、−Ｓ−、−Ｏ−フェニレン、およびフェニレン（この場合、最後に言及される２つの基は、Ｆ、Ｃｌ、Ｂｒ、Ｉ、Ｃ1〜Ｃ12−アルキル、Ｃ1〜Ｃ12−ハロアルキル、ＳＲ19、ＯＲ20、ＣＯＲ21、ＣＯＯＲ22、ＣＯＮＲ23Ｒ24、およびフェニルから選択される１つ以上の同じかまたは異なる基で置換されていてもよい）から選択される１つ以上の非隣接基で中断されていてもよく、この場合、Ｒ19、Ｒ20、Ｒ22、Ｒ23、およびＲ24は、請求項１において定義される通りである）Ｃ1〜Ｃ12−アルキレンであり；ならびに
Ｒ9およびＲ10が、ＮＲ11Ｒ12；−Ｎ＝ＣＲ13Ｒ14；
Ｃ1〜Ｃ12−アルキル、Ｃ2〜Ｃ12−アルケニル（この場合、最後に言及される２つの基は、Ｆ、Ｃｌ、Ｂｒ、Ｉ、ＯＲ20、ＣＯＲ21、ＣＯＯＲ22、Ｃ3〜Ｃ20−シクロアルキル、ヘテロシクリル（この場合、最後に言及される２つの基は、１つ以上のＣＯ基で中断されていてもよい）から選択される１つ以上の同じかまたは異なる基で置換されていてもよい）、
フェニルおよびナフチル（この場合、最後に言及される２つの基の芳香族環は、１つ以上のＦ、Ｃｌ、Ｂｒ、Ｉ、Ｃ1〜Ｃ12−アルキル、Ｃ1〜Ｃ12−ハロアルキル、ＮＯ2、ＳＲ19、ＯＲ20、ＣＯＲ21、ＣＯＯＲ22、またはＣＯＮＲ23Ｒ24で置換されていてもよい）、ならびに、
１つ以上のＣ1〜Ｃ12−アルキル、Ｆ、Ｃｌ、Ｂｒ、Ｉ、ＮＯ2、またはＣＯＯＲ22で置換されていてもよいフェニル、
から選択され、
この場合、Ｒ11、Ｒ12、Ｒ13、Ｒ14、Ｒ19、Ｒ20、Ｒ21、Ｒ22、Ｒ23、およびＲ24は、請求項１において定義される通りである、
請求項２４に記載の式Ｉｂの化合物。
【請求項２６】
カチオン重合性組成物を硬化する方法であって、
（ａ）カチオン重合可能な少なくとも１種の化合物と、
（ｂ）請求項１〜１７のいずれか一項において定義される式ＩａおよびＩｂの化合物から選択される少なくとも１種のスルホニウムサルフェートと
を含む組成物を、基材に適用する工程および該組成物を熱処理に晒す工程、を含む前記方法。
【請求項２７】
液晶ディスプレイの層の製造のための、請求項１〜２１のいずれか一項において定義される熱硬化性組成物の使用。
【請求項２８】
カラーフィルターのオーバーコート層あるいは絶縁層または誘電体層を製造するための、請求項２７に記載の使用。
【請求項２９】
液晶ディスプレイパネルにおけるカラムスペーサーの製造のための、請求項１〜２１のいずれか一項において定義される熱硬化性組成物の使用。
【請求項３０】
接着剤、シーラント、絶縁材料、コーティング組成物、含浸性組成物、積層物、成形材料、注型材料、エレクトロニクス用途のための基材としてのもしくはそれらにおける、請求項１〜２１のいずれか一項において定義される熱硬化性組成物の使用。
【請求項３１】
印刷用インキ、塗料、ラッカー、印刷用の色校正材料、ワニス、注封材料、浸漬用樹脂、マトリックス樹脂、建設材料、レンズ、およびはんだレジスト組成物としてのもしくはそれらにおける、請求項１〜２１のいずれか一項において定義される熱硬化性組成物の使用。